(57)【要約】  本発明の実施例はデータ伝送方法を提供する。該方法は、前記第一のプライマリネットワーク装置が、端末装置が前記第一のプライマリネットワーク装置へのアクセス過程で送信したセカンダリネットワーク装置の測定結果情報を受信し、前記測定結果情報が前記セカンダリネットワーク装置と前記端末装置の間のリンク品質を示すことに用いられることと、前記第一のプライマリネットワーク装置が前記セカンダリネットワーク装置と前記端末装置の間のリンク品質に基づき、前記セカンダリネットワーク装置と端末装置のセカンダリ接続の確立を確定することと、前記第一のプライマリネットワーク装置が前記セカンダリ接続を確立することを含む。本発明により、第一のプライマリネットワーク装置の伝送負荷を低減することができる。
2019526180.tif 000002
【特許請求の範囲】
【請求項１】
データ伝送方法であって、
第一のプライマリネットワーク装置が、端末装置が前記第一のプライマリネットワーク装置へのアクセス過程で送信したセカンダリネットワーク装置の測定結果情報を受信し、前記測定結果情報が前記セカンダリネットワーク装置と前記端末装置の間のリンク品質を示すことに用いられることと、
前記第一のプライマリネットワーク装置が前記セカンダリネットワーク装置と前記端末装置の間のリンク品質に基づき、前記セカンダリネットワーク装置と前記端末装置のセカンダリ接続の確立を確定することと、
前記第一のプライマリネットワーク装置が前記セカンダリ接続を確立することとを含む、データ伝送方法。
【請求項２】
前記第一のプライマリネットワーク装置が、端末装置が前記第一のプライマリネットワーク装置へのアクセス過程で送信したセカンダリネットワーク装置の測定結果情報を受信することは、
前記第一のプライマリネットワーク装置が前記端末装置から送信された、無線リソース制御（ＲＲＣ）接続確立リクエストメッセージ、又はＲＲＣ接続確立完了メッセージに含まれる前記測定結果情報を受信することを含むことを特徴とする
請求項１に記載の方法。
【請求項３】
前記第一のプライマリネットワーク装置が、端末装置が前記プライマリネットワーク装置へのアクセス過程で送信したセカンダリネットワーク装置の測定結果情報を受信することは、
前記第一のプライマリネットワーク装置が前記端末装置から送信された、ハンドオーバー完了メッセージに含まれる前記測定結果情報を受信し、前記ハンドオーバー完了メッセージがさらに前記端末装置にサービスを提供するネットワーク装置が既に第二のネットワーク装置から前記第一のネットワーク装置にハンドオーバーされたことを示すこと用いられることを含むことを特徴とする
請求項１に記載の方法。
【請求項４】
前記第一のプライマリネットワーク装置が、端末装置が前記プライマリネットワーク装置へのアクセス過程で送信したセカンダリネットワーク装置の測定結果情報を受信することは、
前記第一のプライマリネットワーク装置が第二のプライマリネットワーク装置から送信された、ハンドオーバーリクエストメッセージに含まれる前記測定結果情報を受信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含むことを特徴とする
請求項１に記載の方法。
【請求項５】
前記第一のプライマリネットワーク装置が前記セカンダリ接続を確立することは、
前記第一のプライマリネットワーク装置が第二のプライマリネットワーク装置から送信された、ハンドオーバーリクエストメッセージに含まれる前記測定結果情報を受信した後、前記第一のプライマリネットワーク装置が前記第二のプライマリネットワーク装置へハンドオーバーリクエストメッセージの確認メッセージを送信し、前記ハンドオーバーリクエストメッセージの確認メッセージに前記セカンダリ接続の配置情報が含まれ、前記第二のネットワーク装置が前記セカンダリ接続の配置情報を前記端末装置に送信するようにし、前記セカンダリ接続の配置情報が前記セカンダリネットワーク装置と前記端末装置との前記セカンダリ接続の確立に用いられることを特徴とする
請求項４に記載の方法。
【請求項６】
前記第一のプライマリネットワーク装置が、端末装置が前記プライマリネットワーク装置へのアクセス過程で送信したセカンダリネットワーク装置の測定結果情報を受信する前に、前記方法はさらに、
前記第一のプライマリネットワーク装置が前記端末装置へ第一の指示情報を送信し、前記第一の指示情報が前記第一のプライマリネットワーク装置へ前記測定結果情報を送信するように前記端末装置に指示することに用いられることを含み、
ここで、第一のプライマリネットワーク装置が、端末装置が前記プライマリネットワーク装置へのアクセス過程で送信した前記セカンダリネットワーク装置の測定結果情報を受信することは、
前記第一のプライマリネットワーク装置が、前記端末装置が前記第一の指示情報に基づいて送信した前記測定結果情報を受信することを含むことを特徴とする
請求項１−５のいずれか一項に記載の方法。
【請求項７】
前記第一のプライマリネットワーク装置が前記セカンダリ接続を確立することは、
前記第一のプライマリネットワーク装置が前記セカンダリネットワーク装置へセカンダリ接続追加リクエストメッセージを送信し、前記セカンダリ接続追加リクエストメッセージが前記セカンダリネットワーク装置をデータを伝送するためのネットワーク装置として追加するようにリクエストすることに用いられることと、
前記第一のプライマリネットワーク装置が前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続の確立に用いられることと、
前記第一のプライマリネットワーク装置が前記セカンダリ接続の配置情報を取得することと、
前記第一のプライマリネットワーク装置が前記端末装置へ前記セカンダリ接続の配置情報を送信することとを含むことを特徴とする
請求項１−６のいずれか一項に記載の方法。
【請求項８】
前記第一のプライマリネットワーク装置が前記測定結果情報に基づき、前記セカンダリネットワーク装置と端末装置とのセカンダリ接続を確定することは、
前記第一のプライマリネットワーク装置が前記第一のプライマリネットワーク装置の負荷状況と前記測定結果情報に基づき、前記セカンダリネットワーク装置と前記端末装置とのセカンダリ接続を確立することを含むことを特徴とする
請求項１−７のいずれか一項に記載の方法。
【請求項９】
前記方法はさらに、
前記第一のプライマリネットワーク装置が前記端末装置へプライマリ接続の配置情報を送信し、前記プライマリ接続の配置情報が、前記端末装置が前記第一のプライマリネットワーク装置とのプライマリ接続を確立することに用いられ、前記プライマリ接続がデータを伝送することに用いられることを含むことを特徴とする
請求項１−８のいずれか一項に記載の方法。
【請求項１０】
前記第一のプライマリネットワーク装置は長期進化型（ＬＴＥ）ネットワークにおけるネットワーク装置であり、前記セカンダリネットワーク装置は５Ｇネットワーク装置におけるネットワーク装置であることを特徴とする
請求項１−９のいずれか一項に記載の方法。
【請求項１１】
前記セカンダリ接続は第一の制御プレーンデータ及び／又はユーザプレーンデータを伝送することに用いられることを特徴とする
請求項１−１０のいずれか一項に記載の方法。
【請求項１２】
データ伝送方法であって、
端末装置が第一のプライマリネットワーク装置へのアクセス過程で第一のプライマリネットワーク装置へセカンダリネットワーク装置の測定結果情報を送信し、前記第一のプライマリネットワーク装置が前記測定結果情報に基づいてセカンダリ接続の配置情報を取得するようにし、前記測定結果情報が前記セカンダリネットワーク装置と前記端末装置の間のリンク品質を示すことに用いられることと、
前記端末装置が前記第一のプライマリネットワーク装置から送信された前記セカンダリ接続の配置情報を受信することと、
前記端末装置が前記セカンダリ接続の配置情報に基づいて前記セカンダリネットワーク装置にアクセスすることとを含む、データ伝送方法。
【請求項１３】
前記端末装置が第一のプライマリネットワーク装置へのアクセス過程で第一のプライマリネットワーク装置へセカンダリネットワーク装置の測定結果情報を送信することは、
前記端末装置が無線リソース制御（ＲＲＣ）接続確立リクエストメッセージ、又はＲＲＣ接続確立完了メッセージによって前記第一のプライマリネットワーク装置へ前記測定結果情報を送信することを含むことを特徴とする
請求項１２に記載の方法。
【請求項１４】
前記端末装置が第一のプライマリネットワーク装置へのアクセス過程で第一のプライマリネットワーク装置へセカンダリネットワーク装置の測定結果情報を送信することは、
前記端末装置が第二のプライマリネットワーク装置を介して前記第一のプライマリネットワーク装置へ測定結果情報を送信し、前記測定結果情報が前記端末装置から前記第二のプライマリネットワーク装置へ送信される測定レポートに含まれ、前記第二のプライマリネットワーク装置が前記測定レポートに基づいて前記第一のプライマリネットワーク装置へハンドオーバーリクエストメッセージを送信するようにし、前記ハンドオーバーリクエストメッセージに前記測定結果情報が含まれ、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含むことを特徴とする
請求項１２に記載の方法。
【請求項１５】
前記端末装置が第一のプライマリネットワーク装置へのアクセス過程で第一のプライマリネットワーク装置へセカンダリネットワーク装置の測定結果情報を送信することは、
前記端末装置がハンドオーバー完了メッセージによって前記第一のプライマリネットワーク装置へ前記測定結果情報を送信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すことに用いられることを含むことを特徴とする
請求項１２に記載の方法。
【請求項１６】
前記端末装置が第一のプライマリネットワーク装置へのアクセス過程で第一のプライマリネットワーク装置へセカンダリネットワーク装置の測定結果情報を送信する前に、前記方法はさらに、
前記端末装置が前記第一のプライマリネットワーク装置から送信された第一の指示情報を受信し、前記第一の指示情報が前記第一のプライマリネットワーク装置へ前記測定結果情報を送信するように前記端末装置に指示することに用いられることを含み、
ここで、前記端末装置が第一のプライマリネットワーク装置へのアクセス過程で第一のプライマリネットワーク装置へセカンダリネットワーク装置の測定結果情報を送信することは、
前記端末装置が前記第一の指示情報に基づき、前記第一のプライマリネットワーク装置へのアクセス過程で前記第一のプライマリネットワーク装置へ前記測定結果情報を送信することを含むことを特徴とする
請求項１２−１５のいずれか一項に記載の方法。
【請求項１７】
前記端末装置が第一のプライマリネットワーク装置へのアクセス過程で第一のプライマリネットワーク装置へセカンダリネットワーク装置の測定結果情報を送信する前に、前記方法はさらに、
前記端末装置と前記セカンダリネットワーク装置の間のチャネル品質がプリセット条件を満たしている場合、前記端末装置が第一のプライマリネットワーク装置へのアクセス過程で前記第一のプライマリネットワーク装置へ前記測定結果情報を送信することを含むことを特徴とする
請求項１２−１６のいずれか一項に記載の方法。
【請求項１８】
前記方法はさらに、
前記端末装置が前記第一のプライマリネットワーク装置から送信されたプライマリ接続の配置情報を受信し、前記プライマリ接続の配置情報が、前記端末装置が前記第一のプライマリネットワーク装置とのプライマリ接続を確立することに用いられ、前記プライマリ接続がデータを伝送することに用いられることを含むことを特徴とする
請求項１２−１７のいずれか一項に記載の方法。
【請求項１９】
データ伝送方法であって、
第二のプライマリネットワーク装置が端末装置から送信された測定結果情報を受信し、前記測定結果情報がセカンダリネットワーク装置と前記端末装置の間のリンク品質を示すことに用いられることと、
前記第二のプライマリネットワーク装置が第一のプライマリネットワーク装置へ前記測定結果情報を送信し、前記第一のプライマリネットワーク装置が前記測定結果情報に基づき、前記セカンダリネットワーク装置と前記端末装置とのセカンダリ接続の確立を確定するようにし、前記第一のネットワーク装置が前記端末装置によってハンドオーバーされるターゲットネットワーク装置であり、前記第二のネットワーク装置が前記端末装置によってハンドオーバーされるソースネットワーク装置であることとを含む、データ伝送方法。
【請求項２０】
前記第二のプライマリネットワーク装置が端末装置から送信された測定結果情報を受信することは、
前記第二のプライマリネットワーク装置が端末装置によって送信された測定レポートに含まれる前記測定結果情報を受信することを含み、
ここで、前記第二のプライマリネットワーク装置が第一のプライマリネットワーク装置へのハンドオーバー過程で前記第一のプライマリネットワーク装置へ前記測定結果情報を送信することは、
前記第二のプライマリネットワーク装置がハンドオーバーリクエストメッセージによって前記第一のプライマリネットワーク装置へ前記測定結果情報を送信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含むことを特徴とする
請求項１９に記載の方法。
【請求項２１】
前記第二のプライマリネットワーク装置がハンドオーバーリクエストメッセージによって前記第一のプライマリネットワーク装置へ前記測定結果情報を送信した後、前記方法はさらに、
前記第二のプライマリネットワーク装置が前記第一のプライマリネットワーク装置によって送信された前記ハンドオーバーリクエストメッセージの確認メッセージに含まれる前記セカンダリ接続の配置情報を受信し、前記セカンダリ接続の配置情報が前記セカンダリネットワーク装置と前記端末装置との前記セカンダリ接続の確立に用いられることと、
前記第二のプライマリネットワーク装置が前記端末装置へ前記セカンダリ接続の配置情報を送信することとを含むことを特徴とする
請求項２０に記載の方法。
【請求項２２】
データ伝送装置データ伝送装置であって、
端末装置が第一のプライマリネットワーク装置へのアクセス過程で送信したセカンダリネットワーク装置の測定結果情報を受信するように構成され、前記測定結果情報が前記セカンダリネットワーク装置と前記端末装置の間のリンク品質を示すことに用いられる受信モジュールと、
前記セカンダリネットワーク装置と前記端末装置の間のリンク品質に基づき、前記セカンダリネットワーク装置と前記端末装置のセカンダリ接続の確立を確定するように構成される確定モジュールと、
前記セカンダリ接続を確立するように構成される確立モジュールとを備える、データ伝送装置。
【請求項２３】
前記受信モジュールは具体的に、
前記端末装置から送信された、無線リソース制御（ＲＲＣ）接続確立リクエストメッセージ、又はＲＲＣ接続確立完了メッセージに含まれる前記測定結果情報を受信するように構成されることを特徴とする
請求項２２に記載の装置。
【請求項２４】
前記受信モジュールは具体的に、
前記端末装置から送信された、ハンドオーバー完了メッセージに含まれる前記測定結果情報を受信するように構成され、前記ハンドオーバー完了メッセージがさらに前記端末装置にサービスを提供するネットワーク装置が既に第二のプライマリネットワーク装置から前記装置にハンドオーバーされたことを示すことに用いられることを特徴とする
請求項２２に記載の装置。
【請求項２５】
前記受信モジュールは具体的に、
前記第一のプライマリネットワーク装置が第二のプライマリネットワーク装置から送信された、ハンドオーバーリクエストメッセージに含まれる前記測定結果情報を受信するように構成され、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを特徴とする
請求項２２に記載の装置。
【請求項２６】
前記確立モジュールは具体的に、
前記第二のプライマリネットワーク装置から送信された、ハンドオーバーリクエストメッセージに含まれる前記測定結果情報を受信した後、前記第二のプライマリネットワーク装置へハンドオーバーリクエストメッセージの確認メッセージを送信するように構成され、前記ハンドオーバーリクエストメッセージの確認メッセージに前記セカンダリ接続の配置情報が含まれ、前記第二のプライマリネットワーク装置が前記セカンダリ接続の配置情報を前記端末装置に送信するようにし、前記セカンダリ接続の配置情報が前記セカンダリネットワーク装置と前記端末装置との前記セカンダリ接続の確立に用いられることを特徴とする
請求項２５に記載の装置。
【請求項２７】
前記装置はさらに、
端末装置が前記プライマリネットワーク装置へのアクセス過程で送信したセカンダリネットワーク装置の測定結果情報を受信する前に、前記端末装置へ第一の指示情報を送信するように構成され、前記第一の指示情報が前記第一のプライマリネットワーク装置へ前記測定結果情報を送信するように前記端末装置に指示することに用いられる第一の送信モジュールを備え、
前記受信モジュールは具体的に前記端末装置が前記第一の指示情報に基づいて送信した前記測定結果情報を受信するように構成されることを特徴とする
請求項２２−２６のいずれか一項に記載の装置。
【請求項２８】
前記確立モジュールは具体的に、
前記セカンダリネットワーク装置へセカンダリ接続追加リクエストメッセージを送信し、前記セカンダリ接続追加リクエストメッセージが前記セカンダリネットワーク装置をデータを伝送するためのネットワーク装置として追加するようにリクエストすることに用いられ、
前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続を確立することに用いられ、
前記セカンダリ接続の配置情報を取得し、
前記端末装置へ前記セカンダリ接続の配置情報を送信するように構成されることを特徴とする
請求項２２−２７のいずれか一項に記載の装置。
【請求項２９】
前記確定モジュールは具体的に、
前記第一のプライマリネットワーク装置の負荷状況と前記測定結果情報に基づき、前記セカンダリネットワーク装置と前記端末装置とのセカンダリ接続の確立を確定するように構成されることを特徴とする
請求項２２−２８のいずれか一項に記載の装置。
【請求項３０】
前記装置はさらに、
前記端末装置へプライマリ接続の配置情報を送信するように構成され、前記プライマリ接続の配置情報が、前記端末装置が前記装置とのプライマリ接続を確立することに用いられ、前記プライマリ接続がデータを伝送することに用いられる第二の送信モジュールを備えることを特徴とする
請求項２２−２９のいずれか一項に記載の装置。
【請求項３１】
前記装置は長期進化型（ＬＴＥ）ネットワークにおけるネットワーク装置であり、前記セカンダリネットワーク装置は５Ｇネットワーク装置におけるネットワーク装置であることを特徴とする
請求項２２−３０のいずれか一項に記載の装置。
【請求項３２】
前記セカンダリ接続は第一の制御プレーンデータ及び／又はユーザプレーンデータを伝送することに用いられることを特徴とする
請求項２２−３１のいずれか一項に記載の装置。
【請求項３３】
データ伝送装置であって、
前記装置が第一のプライマリネットワーク装置へのアクセス過程で第一のプライマリネットワーク装置へセカンダリネットワーク装置の測定結果情報を送信し、前記第一のプライマリネットワーク装置が前記測定結果情報に基づいてセカンダリ接続の配置情報を取得するようにするように構成され、前記測定結果情報が前記セカンダリネットワーク装置と前記装置の間のリンク品質を示すことに用いられる送信モジュールと、
前記第一のプライマリネットワーク装置から送信された前記セカンダリ接続の配置情報を受信するように構成される受信モジュールと、
前記セカンダリ接続の配置情報に基づいて前記セカンダリネットワーク装置にアクセスするように構成されるアクセスモジュールとを備える、データ伝送装置。
【請求項３４】
前記送信モジュールは具体的に、
無線リソース制御（ＲＲＣ）接続確立リクエストメッセージ、又はＲＲＣ接続確立完了メッセージによって前記第一のプライマリネットワーク装置へ前記測定結果情報を送信するように構成されることを特徴とする
請求項３３に記載の装置。
【請求項３５】
前記送信モジュールは具体的に、
第二のプライマリネットワーク装置を介して前記第一のプライマリネットワーク装置へ測定結果情報を送信するように構成され、前記測定結果情報が前記装置から前記第二のプライマリネットワーク装置へ送信される測定レポートに含まれ、前記第二のプライマリネットワーク装置が前記測定レポートに基づいて前記第一のプライマリネットワーク装置へハンドオーバーリクエストメッセージを送信するようにし、前記ハンドオーバーリクエストメッセージに前記測定結果情報が含まれ、前記ハンドオーバーリクエストメッセージがさらに前記第二のプライマリネットワーク装置から前記第一のプライマリネットワーク装置にハンドオーバーする必要があることを前記装置にサービスを提供するネットワーク装置にリクエストすることに用いられることを特徴とする
請求項３３に記載の装置。
【請求項３６】
前記送信モジュールは具体的に、
ハンドオーバー完了メッセージによって前記第一のプライマリネットワーク装置へ前記測定結果情報を送信するように構成され、前記ハンドオーバー完了メッセージがさらに前記装置にサービスを提供するネットワーク装置が既に第二のプライマリネットワーク装置から前記第一のプライマリネットワーク装置にハンドオーバーされたことを示すことに用いられることを特徴とする
請求項３３に記載の装置。
【請求項３７】
前記受信モジュールはさらに、
前記装置が第一のプライマリネットワーク装置にアクセスする過程において第一のプライマリネットワーク装置へセカンダリネットワーク装置の測定結果情報を送信する前に、前記第一のプライマリネットワーク装置から送信された第一の指示情報を受信するように構成され、前記第一の指示情報が前記第一のプライマリネットワーク装置へ前記測定結果情報を送信するように前記装置に指示することに用いられ、
前記送信モジュールは具体的に前記第一の指示情報に基づき、前記第一のプライマリネットワーク装置へのアクセス過程で前記第一のプライマリネットワーク装置へ前記測定結果情報を送信するように構成されることを特徴とする
請求項３３−３６のいずれか一項に記載の装置。
【請求項３８】
前記送信モジュールは具体的に、
前記装置が第一のプライマリネットワーク装置にアクセスする過程において第一のプライマリネットワーク装置へセカンダリネットワーク装置の測定結果情報を送信する前に、前記装置と前記セカンダリネットワーク装置の間のチャネル品質がプリセット条件を満たしている場合、前記装置が第一のプライマリネットワーク装置へのアクセス過程で前記第一のプライマリネットワーク装置へ前記測定結果情報を送信するように構成されることを特徴とする
請求項３３−３７のいずれか一項に記載の装置。
【請求項３９】
前記受信モジュールはさらに、
前記第一のプライマリネットワーク装置から送信されたプライマリ接続の配置情報を受信するように構成され、前記プライマリ接続の配置情報が、前記装置が前記第一のプライマリネットワーク装置とのプライマリ接続を確立することに用いられ、前記プライマリ接続がデータを伝送することに用いられることを特徴とする
請求項３３−３８のいずれか一項に記載の装置。
【請求項４０】
データ伝送装置であって、
端末装置から送信された測定結果情報を受信するように構成され、前記測定結果情報がセカンダリネットワーク装置と前記端末装置の間のリンク品質を示すことに用いられる受信モジュールと、
第一のプライマリネットワーク装置へ前記測定結果情報を送信し、前記第一のプライマリネットワーク装置が前記測定結果情報に基づき、前記セカンダリネットワーク装置と前記端末装置とのセカンダリ接続の確立を確定するようにするように構成され、前記第一のネットワーク装置が前記端末装置によってハンドオーバーされるターゲットネットワーク装置であり、前記装置が前記端末装置によってハンドオーバーされるソースネットワーク装置である送信モジュールとを備える、データ伝送装置。
【請求項４１】
前記受信モジュールは具体的に、
端末装置によって送信された測定レポートに含まれる前記測定結果情報を受信するように構成され、
前記送信モジュールは具体的にハンドオーバーリクエストメッセージによって前記第一のプライマリネットワーク装置へ前記測定結果情報を送信するように構成され、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを特徴とする
請求項４０に記載の装置。
【請求項４２】
前記受信モジュールはさらに、
前記装置がハンドオーバーリクエストメッセージによって前記第一のプライマリネットワーク装置へ前記測定結果情報を送信した後、前記第一のプライマリネットワーク装置によって送信された前記ハンドオーバーリクエストメッセージの確認メッセージに含まれる前記セカンダリ接続の配置情報を受信するように構成され、前記セカンダリ接続の配置情報が前記セカンダリネットワーク装置と前記端末装置との前記セカンダリ接続の確立に用いられ、
前記送信モジュールはさらに前記端末装置へ前記セカンダリ接続の配置情報を送信するように構成されることを特徴とする
請求項４１に記載の装置。
【発明の詳細な説明】
【技術分野】
【０００１】
本発明は、通信分野に関し、より具体的には、データ伝送方法及び装置に関する。
【背景技術】
【０００２】
ノンスタンドアローン（Ｎｏｎ−ｓｔａｎｄａｌｏｎｅ）ネットワークの配置シーンにおいて、端末装置は長期進化型（Ｌｏｎｇ  Ｔｅｒｍ  Ｅｖｏｌｕｔｉｏｎ：「ＬＴＥ」と略称）ネットワークと新しい無線（Ｎｅｗ  Ｒａｄｉｏ：「ＮＲ」と略称）ネットワークを介してデータを同時に受信又は送信することができ、この技術はマルチ（二重）接続技術と呼ばれてもよい。
【０００３】
端末装置のマルチ（二重）接続では、一つのプライマリ接続と、一つ又は複数のセカンダリ接続が存在する。プライマリ接続は端末装置とプライマリネットワーク装置とのネットワーク接続であり、セカンダリ接続は端末装置とセカンダリネットワーク装置とのネットワーク接続であり、例えば、ＬＴＥ＋ＮＲセルの配置シーンにおいて、プライマリネットワーク装置はＬＴＥネットワークにおけるネットワーク装置であってもよく、セカンダリネットワーク装置はＮＲネットワークにおけるネットワーク装置であってもよい。端末装置の制御プレーンデータがプライマリ接続により伝送され、端末装置のユーザプレーンデータが２つのチャネルに分割されてプライマリ接続とセカンダリ接続によって同時に伝送されてもよく、これによりユーザプレーンデータのスループットを向上させ、又はユーザプレーンデータがセカンダリ接続のみによって伝送されてもよく、これによりプライマリネットワーク装置の負荷を軽減させ、しかし、ユーザプレーンデータ又は制御プレーンデータのバイパスがデータ伝送過程のみにおいて行われ、ネットワークのスループットの増大に伴い、プライマリネットワーク装置の伝送負荷がますます重くなり、セカンダリネットワーク装置のプライマリネットワーク装置のためにデータをバイパスする能力をさらに高める必要がある。
【発明の概要】
【発明が解決しようとする課題】
【０００４】
本発明の実施例はプライマリネットワーク装置の伝送負荷を低減させることができるデータ伝送方法及び装置を提供する。
【課題を解決するための手段】
【０００５】
第一の態様によるデータ伝送方法は、前記第一のプライマリネットワーク装置が、端末装置が前記第一のプライマリネットワーク装置へのアクセス過程で送信したセカンダリネットワーク装置の測定結果情報を受信し、前記測定結果情報が前記セカンダリネットワーク装置と前記端末装置の間のリンク品質を示すことに用いられることと、前記第一のプライマリネットワーク装置が前記セカンダリネットワーク装置と前記端末装置の間のリンク品質に基づき、前記セカンダリネットワーク装置と端末装置のセカンダリ接続の確立を確定することと、前記第一のプライマリネットワーク装置が前記セカンダリ接続を確立することとを含む。
【０００６】
このようにして、端末装置はセカンダリネットワーク装置の測定結果情報を第一のプライマリネットワーク装置へのアクセス過程において第一のプライマリネットワーク装置に送信することができ、第一のプライマリネットワーク装置は端末装置からの測定結果情報を受信した後、該測定結果情報に基づき、セカンダリネットワーク装置と端末装置とのセカンダリ接続を確立する必要があることを確定し、その後、該第一のプライマリネットワーク装置は該セカンダリ接続を確立し、端末装置は該セカンダリ接続によりデータを伝送し、このようにして、端末装置がアクセス過程でセカンダリネットワーク装置の測定結果情報を第一のプライマリネットワーク装置に送信することにより、データをセカンダリネットワーク装置にできるだけ早くバイパスすることができ、これにより、第一のプライマリネットワーク装置によって確立されたセカンダリ接続が第一のプライマリネットワーク装置のためにできるだけ早くデータのバイパスを行って、第一のプライマリネットワーク装置の伝送負荷を低減することができる。
【０００７】
選択可能に、セカンダリ接続が制御プレーンデータ及び／又はユーザプレーンデータを伝送することに用いられ、従来技術ではデータ接続過程で第一のプライマリネットワーク装置のためにユーザプレーンデータのみを分担し、このようにして、第一のプライマリネットワーク装置が、端末装置が第一のプライマリネットワーク装置にアクセスする過程において確立したセカンダリ接続は、第一のプライマリネットワーク装置のためにユーザプレーンデータのバイパスを分担することができるだけでなく、第一のプライマリネットワーク装置のために制御プレーンデータのバイパスを分担することもでき、プライマリネットワーク装置に対するセカンダリネットワーク装置のバイパス能力をさらに高め、第一のプライマリネットワーク装置の伝送負荷を低減させる。
【０００８】
第一の態様の第一の可能な実施形態では、前記第一のプライマリネットワーク装置が、端末装置が前記第一のプライマリネットワーク装置へのアクセス過程で送信したセカンダリネットワーク装置の測定結果情報を受信することは、前記第一のプライマリネットワーク装置が無線リソース制御（ＲＲＣ）接続確立リクエストメッセージ、又は前記ＲＲＣ接続確立完了メッセージに含まれる前記測定結果情報を受信することを含む。
【０００９】
本発明の実施例では、端末装置が第一のプライマリネットワーク装置にアクセスする過程は、アイドル状態にある端末装置が第一のプライマリネットワーク装置へＲＲＣ接続確立リクエストメッセージ又はＲＲＣ接続確立完了メッセージを送信することであってもよく、この二つのメッセージにセカンダリネットワーク装置の測定結果情報を含ませることが可能であり、このようにして、アイドル状態にある端末装置がデータを伝送する必要がある時に、アクセス過程において測定結果情報をこの二つの情報によって第一のプライマリネットワーク装置にできるだけ早く送信し、これにより、セカンダリネットワーク装置が第一のプライマリネットワーク装置のためにデータをできるだけ早くバイパスすることができ、第一のプライマリネットワーク装置の伝送負荷をさらに低減させる。
【００１０】
第一の態様の上記の可能な実施形態と組み合わせ、第一の態様の第二の可能な実施形態では、前記第一のプライマリネットワーク装置が、端末装置が前記プライマリネットワーク装置へのアクセス過程で送信したセカンダリネットワーク装置の測定結果情報を受信することは、前記第一のプライマリネットワーク装置が第二のプライマリネットワーク装置から送信された、ハンドオーバーリクエストメッセージに含まれる前記測定結果情報を受信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含む。
【００１１】
本発明の実施例では、端末装置が第一のプライマリネットワーク装置にアクセスする過程は、第二のプライマリネットワーク装置から第一のプライマリネットワーク装置にハンドオーバーする過程であってもよく、第二のプライマリネットワーク装置がソースネットワーク装置であり、第一のプライマリネットワーク装置がターゲットネットワーク装置であり、具体的には、セカンダリネットワーク装置の測定結果情報が第二のプライマリネットワーク装置から第一のプライマリネットワーク装置へ送信されたハンドオーバーリクエストメッセージに含まれてもよく、端末装置はセカンダリネットワーク装置を測定し、生成された測定結果情報を第二のプライマリネットワーク装置に送信される測定レポートに含ませ、第二のプライマリネットワーク装置が該測定レポートを受信した場合、該測定レポートにおけるセカンダリネットワーク装置の測定結果情報を取得し、第二のプライマリネットワーク装置が測定レポートに基づき、ハンドオーバーする必要があることを確定した場合、セカンダリネットワーク装置の測定結果情報を第一のプライマリネットワーク装置へ送信されたハンドオーバーリクエストメッセージに含ませ、第一のプライマリネットワーク装置が該ハンドオーバーリクエストメッセージを受信した場合、ハンドオーバーリクエストメッセージに含まれるセカンダリネットワーク装置の測定結果情報をセカンダリネットワーク装置に送信し、このようにしてハンドオーバーする時に、セカンダリネットワーク装置が第一のプライマリネットワーク装置のためにデータをできるだけ早くバイパスすることを実現することができる。
【００１２】
第一の態様の上記の可能な実施形態と組み合わせ、第一の態様の第三の可能な実施形態では、前記第一のプライマリネットワーク装置が、端末装置が前記プライマリネットワーク装置へのアクセス過程で送信したセカンダリネットワーク装置の測定結果情報を受信することは、前記第一のプライマリネットワーク装置が、前記端末装置から送信された、ハンドオーバー完了メッセージに含まれる前記測定結果情報を受信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すことに用いられることを含む。
【００１３】
本発明の実施例では、端末装置が第一のプライマリネットワークにアクセスする過程は、ハンドオーバー過程で端末装置が第一のプライマリネットワーク装置へハンドオーバー完了メッセージを送信する過程であってもよく、該測定情報がハンドオーバー完了メッセージに含まれて第一のプライマリネットワーク装置へ送信されてもよい。
【００１４】
第一の態様の上記の可能な実施形態と組み合わせ、第一の態様の第四の実施形態では、前記第一のプライマリーネットワーク装置が前記セカンダリ接続を確立することは、前記第一のプライマリネットワーク装置が前記第二のプライマリネットワーク装置から送信されたハンドオーバーリクエストメッセージを受信した後、前記第一のプライマリネットワーク装置が前記第二のプライマリネットワーク装置へハンドオーバーリクエストメッセージの確認メッセージを送信し、前記ハンドオーバーリクエストメッセージの確認メッセージに前記セカンダリ接続の配置情報を含ませ、前記第二のプライマリネットワーク装置が前記セカンダリ接続の配置情報を前記端末装置に送信するようにし、前記セカンダリ接続の配置情報が前記セカンダリネットワーク装置と前記端末装置との前記セカンダリ接続の確立に用いられることを含む。
【００１５】
本発明の実施例では、第一のプライマリネットワーク装置はセカンダリ接続を確立するためにセカンダリ接続の配置情報を取得する必要があり、第二のプライマリネットワーク装置が第一のプライマリネットワーク装置へハンドオーバーリクエストメッセージを送信する場合、該セカンダリ接続の配置情報が第一のプライマリネットワーク装置から第二のプライマリネットワーク装置へ返信されたハンドオーバーリクエストメッセージの確認メッセージに含まれてもよく、このようにして、ハンドオーバーする前に、端末装置が第一のプライマリネットワーク装置へのアクセス過程においてセカンダリネットワーク装置とセカンダリ接続をできるだけ早く確立するように、第二のプライマリネットワーク装置はセカンダリ接続の配置情報を端末装置に送信することができる。
【００１６】
第一の態様の上記の可能な実施形態と組み合わせ、第一の態様の第五の実施形態では、前記第一のプライマリネットワーク装置が、端末装置が前記プライマリネットワーク装置へのアクセス過程で送信したセカンダリネットワーク装置の測定結果情報を受信する前に、前記方法はさらに前記第一のプライマリネットワーク装置が前記端末装置へ第一の指示情報を送信し、前記第一の指示情報が前記第一のプライマリネットワーク装置へ前記測定結果情報を送信するように前記端末装置に指示することに用いられることを含み、ここで、第一のプライマリネットワーク装置が、端末装置が前記プライマリネットワーク装置へのアクセス過程で送信した前記セカンダリネットワーク装置の測定結果情報を受信することは、前記第一のプライマリネットワーク装置が、前記端末装置が前記第一の指示情報に基づいて送信した前記測定結果情報を受信することを含む。
【００１７】
本発明の実施例では、第一のプライマリネットワーク装置は、セカンダリネットワーク装置の測定結果情報を報告するように端末装置に指示するために、端末装置へ第一の指示情報を送信する必要があり、例えば、第一の指示情報がセカンダリネットワーク装置の測定結果情報を報告する方式、報告の時間を示し、具体的に報告された情報に占有されたバイトなどであってもよい。
【００１８】
選択可能に、第一のプライマリネットワーク装置が端末装置へ第一の指示情報を送信する前に、該方法はさらに端末装置が第一のプライマリネットワーク装置へ第三の指示情報を送信することができ、第一のプライマリネットワーク装置が端末装置からの第三の指示情報を受信し、第三の指示情報が、端末装置がセカンダリネットワーク装置の測定結果指示情報を記憶しているか否かを示すことに用いられることを含み、さらに、端末装置は第三の指示情報を第一のプライマリネットワーク装置へ送信されるアップリンクメッセージに含ませることができ、例えばあるアップリンクメッセージにおいて特殊バイト位置が０である場合、端末装置が測定指示情報を記憶していないことを示し、特殊バイト位置が１である場合、端末装置が測定指示情報を記憶していることを示す。第一のプライマリネットワーク装置が端末装置から送信された第三の指示情報を受信し、端末装置が測定結果指示情報を記憶していることを確定した場合、端末装置へ第一の指示情報を送信し、測定結果情報を報告するように端末装置に指示する。
【００１９】
第一の態様の上記の可能な実施形態と組み合わせ、第一の態様の第六の実施形態では、前記第一のプライマリネットワーク装置が前記セカンダリ接続を確立することは、前記第一のプライマリネットワーク装置が前記セカンダリネットワーク装置へセカンダリ接続追加リクエストメッセージを送信し、前記セカンダリ接続追加リクエストメッセージが前記セカンダリネットワーク装置をデータを伝送するためのネットワーク装置として追加するようにリクエストすることに用いられることと、前記第一のプライマリネットワーク装置が前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続の確立に用いられることと、前記第一のプライマリネットワーク装置が前記セカンダリ接続の配置情報を取得することと、前記第一のプライマリネットワーク装置が前記端末装置へ前記セカンダリ接続の配置情報を送信することとを含む。
【００２０】
本発明の実施例では、第一のプライマリネットワークがセカンダリ接続を確立するためにセカンダリ接続の配置情報を取得する必要があり、具体的には、第一のプライマリネットワーク装置はセカンダリネットワーク装置へセカンダリ接続追加リクエストメッセージを送信することができ、該セカンダリ接続追加リクエストメッセージに測定結果情報が含まれ、セカンダリネットワーク装置がセカンダリ接続追加リクエストメッセージを受信した場合、該セカンダリ接続追加リクエストメッセージにおける測定結果情報とそれ自体の負荷状況に基づき、セカンダリ接続の確立を許可するか否かを確定し、セカンダリ接続の確立を許可することを確定した場合、第一のプライマリネットワーク装置へセカンダリ接続追加リクエストメッセージの確認メッセージを返信し、該確認メッセージにセカンダリ接続の配置情報が含まれ、セカンダリネットワーク装置がセカンダリ接続の確立を許可しないことを確定した場合、第一のプライマリネットワーク装置へ失敗指示情報を返信し、セカンダリ接続確立失敗の理由を示し、第一のプライマリネットワーク装置がセカンダリ接続確立失敗の理由に基づき、この後に同様の測定結果を受信する時に、セカンダリネットワーク装置へセカンダリ接続追加リクエストメッセージを送信しないことができるようにし、これにより、第一のプライマリネットワーク装置の電力消費をさらに低減する。
【００２１】
第一の態様の上記の可能な実施形態と組み合わせ、第一の態様の第七の実施形態で、前記第一のプライマリネットワーク装置が前記測定結果情報に基づき、前記セカンダリネットワーク装置と端末装置とのセカンダリ接続を確定することは、前記第一のプライマリネットワーク装置が前記第一のプライマリネットワーク装置の負荷状況と前記測定結果情報に基づき、前記セカンダリネットワーク装置と前記端末装置とのセカンダリ接続を確立することを含む。
【００２２】
具体的には、セカンダリネットワーク装置の測定結果情報が、セカンダリネットワーク装置のネットワーク状況が良いことを示し、現在の第一のプライマリネットワーク装置の負荷が大きい場合、第一のプライマリネットワーク装置のためにデータのバイパスを分担するためのセカンダリ接続を確立することを確定し、セカンダリネットワーク装置の測定結果情報が、セカンダリネットワーク装置のネットワーク状況が普通であることを示し、プライマリネットワーク装置の負荷が小さい場合、セカンダリ接続を確立しなくてもよい。
【００２３】
第一の態様の上記の可能な実施形態と組み合わせ、第一の態様の第八の実施形態では、前記方法はさらに前記第一のプライマリネットワーク装置が前記端末装置へプライマリ接続の配置情報を送信し、前記プライマリ接続の配置情報が、前記端末装置が前記第一のプライマリネットワーク装置とのプライマリ接続を確立することに用いられ、前記プライマリ接続がデータを伝送することに用いられることを含む。
【００２４】
本発明の実施例では、端末装置とセカンダリネットワーク装置とのセカンダリ接続がデータを伝送することに用いられてもよく、端末装置と第一のプライマリネットワーク装置とのプライマリ接続もデータを伝送することに用いられてもよく、第一のプライマリネットワーク装置と端末装置とのプライマリ接続がデータを伝送することに用いられる場合、プライマリ接続の配置情報とセカンダリ接続の配置情報を端末装置に送信する必要があり、具体的には、プライマリ接続の配置情報とセカンダリ接続の配置情報を一緒に端末装置に送信することができ、例えば、いずれもＲＲＣ接続再構成メッセージにプライマリ接続の配置情報とセカンダリ接続の配置情報を一緒に端末装置に送信することができ、このようにして、端末装置はこの二つの接続の配置情報を受信した後、この二つの接続の配置情報に基づいてそれぞれデータ伝送を行う。
【００２５】
第一の態様の上記の可能な実施形態と組み合わせ、第一の態様の第九の実施形態では、前記第一のプライマリネットワーク装置は長期進化型（ＬＴＥ）ネットワークにおけるネットワーク装置であり、前記セカンダリネットワーク装置は５Ｇネットワーク装置におけるネットワーク装置である。
【００２６】
第一の態様の上記の可能な実施形態と組み合わせ、第一の態様の第十の実施形態では、前記セカンダリ接続は第一の制御プレーンデータ及び／又はユーザプレーンデータを伝送することに用いられる。
【００２７】
第一の態様の上記の可能な実施形態と組み合わせ、第一の態様の第十一の実施形態では、前記セカンダリ接続追加リクエストメッセージの確認メッセージに少なくとも一つのセカンダリセルの識別子情報がさらに含まれ、前記少なくとも一つのセカンダリセルが前記セカンダリネットワーク装置によってサービスを提供するセルであり、前記第一のプライマリネットワーク装置が前記測定情報に基づき、前記セカンダリネットワーク装置と端末装置とのセカンダリ接続の確立を確定した後、前記方法はさらに、前記第一のプライマリネットワーク装置が前記端末装置へ前記少なくとも一つのセカンダリセルの識別子情報を送信し、端末装置が前記識別子情報に基づいて前記少なくとも一つのセカンダリセルにアクセスするようにすることを含む。
【００２８】
第一の態様の上記の可能な実施形態と組み合わせ、第一の態様の第十二の実施形態では、前記第一のプライマリネットワーク装置が前記セカンダリ接続を確立した後、前記方法はさらに前記第一のプライマリネットワーク装置が前記セカンダリネットワーク装置へ第二の指示情報を送信し、前記第二の指示情報が前記第一の制御プレーンデータを伝送するように前記セカンダリネットワーク装置に指示することに用いられることを含む。
【００２９】
第二の態様によるデータ伝送方法は、端末装置が第一のプライマリネットワーク装置へのアクセス過程で第一のプライマリネットワーク装置へセカンダリネットワーク装置の測定結果情報を送信し、前記第一のプライマリネットワーク装置が前記測定結果情報に基づいて前記セカンダリ接続の配置情報を取得するようにし、前記測定結果情報が前記セカンダリネットワーク装置と前記端末装置の間のリンク品質を示すことに用いられることと、前記端末装置が前記第一のプライマリネットワーク装置から送信された前記セカンダリ接続の配置情報を受信することと、前記端末装置が前記セカンダリ接続の配置情報に基づいて前記セカンダリネットワーク装置にアクセスすることとを含む。
【００３０】
第二の態様による第一の可能な実施形態では、前記端末装置が第一のプライマリネットワーク装置へのアクセス過程で第一のプライマリネットワーク装置へセカンダリネットワーク装置の測定結果情報を送信することは、前記端末装置が無線リソース制御（ＲＲＣ）接続確立リクエストメッセージ、又はＲＲＣ接続確立完了メッセージによって前記第一のプライマリネットワーク装置へ前記測定結果情報を送信することを含む。
【００３１】
第二の態様の上記の可能な実施形態と組み合わせ、第二の態様の第二の可能な実施形態では、前記端末装置が第一のプライマリネットワーク装置へのアクセス過程で第一のプライマリネットワーク装置へセカンダリネットネットワーク装置の測定結果情報を送信することは、前記端末装置が第二のプライマリネットワーク装置を介して前記第一のプライマリネットワーク装置へ測定結果情報を送信し、前記測定結果情報が前記端末装置から前記第二のプライマリネットワーク装置へ送信される測定レポートに含まれ、前記第二のプライマリネットワーク装置が前記測定レポートに基づいて前記第一のプライマリネットワーク装置へハンドオーバーリクエストメッセージを送信するようにし、前記ハンドオーバーリクエストメッセージに前記測定結果情報が含まれ、前記前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含む。
【００３２】
第二の態様の上記の可能な実施形態と組み合わせ、第二の態様の第三の可能な実施形態では、前記端末装置が第一のプライマリネットワーク装置へのアクセス過程で第一のプライマリネットワーク装置へセカンダリネットワーク装置の測定結果情報を送信することは、前記端末装置がハンドオーバー完了メッセージによって前記第一のプライマリネットワーク装置へ前記測定結果情報を送信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すことに用いられることを含む。
【００３３】
第二の態様の上記の可能な実施形態と組み合わせ、第二の態様の第四の実施形態では、前記端末装置が第一のプライマリネットワーク装置へのアクセス過程で第一のプライマリネットワーク装置へセカンダリネットワーク装置の測定結果情報を送信する前に、前記方法はさらに前記端末装置が前記第一のプライマリネットワーク装置から送信された第一の指示情報を受信し、前記第一の指示情報が前記第一のプライマリネットワーク装置へ前記測定結果情報を送信するように前記端末装置に指示することに用いられることを含み、ここで、前記端末装置が第一のプライマリネットワーク装置へのアクセス過程で第一のプライマリネットワーク装置へセカンダリネットワーク装置の測定結果情報を送信することは、前記端末装置が前記第一の指示情報に基づき、前記第一のプライマリネットワーク装置へのアクセス過程で前記第一のプライマリネットワーク装置へ前記測定結果情報を送信することを含む。
【００３４】
第二の態様の上記の可能な実施形態と組み合わせ、第二の態様の第五の実施形態では、前記端末装置が第一のプライマリネットワーク装置へのアクセス過程で第一のプライマリネットワーク装置へセカンダリネットワーク装置の測定結果情報を送信する前に、前記方法はさらに前記端末装置と前記セカンダリネットワーク装置の間のチャネル品質がプリセット条件を満たしている場合、前記端末装置が第一のプライマリネットワーク装置へのアクセス過程で前記第一のプライマリネットワーク装置へ前記測定結果情報を送信することを含む。
【００３５】
第二の態様の上記の可能な実施形態と組み合わせ、第二の態様の第六の実施形態では、前記方法はさらに前記端末装置が前記第一のプライマリネットワーク装置から送信されたプライマリ接続の配置情報を受信し、前記プライマリ接続の配置情報が、前記端末装置が前記第一のプライマリネットワーク装置とのプライマリ接続を確立することに用いられ、前記プライマリ接続がデータを伝送することに用いられることを含む。
【００３６】
第二の態様の上記の可能な実施形態と組み合わせ、第二の態様の第七の実施形態では、前記端末装置が前記セカンダリ接続の配置情報に基づいて前記セカンダリネットワーク装置にアクセスする前に、前記方法はさらに前記端末装置が前記第一のプライマリネットワーク装置から送信された少なくとも一つのセカンダリセルの識別子情報を受信することを含み、前記少なくとも一つのセカンダリセルが前記セカンダリネットワーク装置によってサービスを提供するセルであり、ここで、前記端末装置が前記セカンダリ接続の配置情報に基づいて前記セカンダリネットワーク装置にアクセスし、前記端末装置が前記セカンダリ接続の配置情報と前記少なくとも一つのセカンダリセルの識別子情報に基づいて前記セカンダリネットワーク装置にアクセスする。
【００３７】
第三の態様によるデータ伝送方法は、第二のプライマリネットワーク装置が端末装置から送信された測定結果情報を受信し、前記測定結果情報がセカンダリネットワーク装置と前記端末装置の間のリンク品質を示すことに用いられることと、
第二のプライマリネットワーク装置が前記第一のプライマリネットワーク装置へ測定結果情報を送信し、前記第一のプライマリネットワーク装置が前記測定結果情報に基づき、前記セカンダリネットワーク装置と前記端末装置とのセカンダリ接続の確立を確定するようにし、前記第一のプライマリネットワーク装置が前記端末装置によってハンドオーバーされるターゲットネットワーク装置であり、前記第二のプライマリネットワーク装置が前記端末装置によってハンドオーバーされるソースネットワーク装置であることとを含む。
【００３８】
第三の態様の第一の可能な実施形態では、前記第二のプライマリネットワーク装置が端末装置から送信された測定結果情報を受信することは、前記第二のプライマリネットワーク装置が測定レポートに含まれる前記測定結果情報を受信することを含み、ここで、前記第二のプライマリネットワーク装置が第一のプライマリネットワーク装置へのハンドオーバー過程で前記第一のプライマリネットワーク装置へ前記測定結果情報を送信することは、前記第二のプライマリネットワーク装置がハンドオーバーリクエストメッセージによって前記第一のプライマリネットワーク装置へ前記測定結果情報を送信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含む。
【００３９】
第三の態様の上記の可能な実施形態と組み合わせ、第三の態様の第二の実施形態では、前記第二のプライマリネットワーク装置がハンドオーバーリクエストメッセージによって前記第一のプライマリネットワーク装置へ前記測定結果情報を送信した後、前記方法はさらに前記第二のプライマリネットワーク装置が前記第一のプライマリネットワーク装置から送信された前記ハンドオーバーリクエストメッセージの確認メッセージに含まれる前記セカンダリ接続の配置情報を受信し、前記セカンダリ接続の配置情報が前記セカンダリネットワーク装置と前記端末装置との前記セカンダリ接続の確立に用いられることと、前記第二のプライマリネットワーク装置が前記端末装置へ前記セカンダリ接続の配置情報を送信することとを含む。
【００４０】
第四の態様によるデータ伝送方法は、セカンダリネットワーク装置が第一のプライマリネットワーク装置から送信されたセカンダリ接続追加リクエストメッセージを受信し、前記セカンダリ接続追加リクエストメッセージが前記セカンダリネットワーク装置と端末装置とのセカンダリ接続の確立をリクエストすることに用いられることと、前記セカンダリネットワーク装置が前記セカンダリ接続追加リクエストメッセージに基づいて前記第一のプライマリネットワーク装置へセカンダリ接続の配置情報を送信し、前記セカンダリ接続の配置情報が前記セカンダリ接続の接続に用いられることとを含む。
【００４１】
第四の態様の第一の可能な実施形態では、前記セカンダリネットワーク装置が前記セカンダリ接続追加リクエストメッセージに基づいて前記第一のプライマリネットワーク装置へセカンダリ接続の配置情報を送信することは、前記セカンダリネットワーク装置が前記第一のプライマリネットワーク装置へ前記セカンダリ接続追加リクエストメッセージの確認メッセージを送信し、前記セカンダリ接続追加リクエストメッセージの確認メッセージに前記セカンダリ接続の配置情報が含まれることを含む。
【００４２】
第四の態様の上記の可能な実施形態と組み合わせ、第四の態様の第二の実施形態では、前記セカンダリ接続追加リクエストメッセージの確認メッセージにも少なくとも一つのセカンダリセルの識別子情報が含まれ、前記少なくとも一つのセカンダリセルが前記セカンダリネットワーク装置によってサービスを提供するセルである。
【００４３】
第四の態様の上記の可能な実施形態と組み合わせ、第四の態様の第三の可能な実施形態では、前記セカンダリ接続追加リクエストメッセージに補助情報が含まれ、前記補助情報が測定結果情報、前記端末装置のアクセス能力情報とデータのサービス品質（ＱｏＳ）情報のうちの少なくとも一つを含み、前記測定結果情報が前記セカンダリネットワーク装置と前記端末装置の間のリンク品質情報を示すことに用いられる。
【００４４】
第四の態様の上記の可能な実施形態と組み合わせ、第四の態様の第四の可能な実施形態では、前記セカンダリネットワーク装置が前記セカンダリ接続追加リクエストメッセージに基づいて前記第一のプライマリネットワーク装置へセカンダリ接続の配置情報を送信することは、前記セカンダリネットワーク装置が前記補助情報と前記セカンダリネットワーク装置の負荷状況に基づき、前記第一のプライマリネットワーク装置へ前記セカンダリ接続の配置情報を送信することを含む。
【００４５】
第五の態様によるデータ伝送装置は、上記の第一の態様又は第一の態様のいずれかの可能な実施形態における方法を実行することに用いられる。具体的には、該装置は上記の第一の態様又は第一の態様のいずれかの可能な実施形態における方法を実行するためのユニットを備える。
【００４６】
第六の態様によるデータ伝送装置は、上記の第二の態様又は第二の態様のいずれかの可能な実施形態における方法を実行することに用いられる。具体的には、該装置は上記の第二の態様又は第二の態様のいずれかの可能な実施形態における方法を実行するためのユニットを備える。
【００４７】
第七の態様によるデータ伝送装置は、上記の第三の態様又は第三の態様のいずれかの可能な実施形態における方法を実行することに用いられる。具体的には、該装置は上記の第三の態様又は第三の態様のいずれかの可能な実施形態における方法を実行するためのユニットを備える。
【００４８】
第八の態様によるデータ伝送装置は、上記の第四の態様又は第四の態様のいずれかの可能な実施形態における方法を実行することに用いられる。具体的には、該装置は上記の第四の態様又は第四の態様のいずれかの可能な実施形態における方法を実行するためのユニットを備える。
【００４９】
第九の態様によるデータ伝送装置は、受信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサが第一の態様又は第一の態様のいずれかの可能な実施形態における方法を実行する。
【００５０】
第十の態様によるデータ伝送装置は、受信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサが第二の態様又は第二の態様のいずれかの可能な実施形態における方法を実行する。
【００５１】
第十一の態様によるデータ伝送装置は、受信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサが第三の態様又は第三の態様のいずれかの可能な実施形態における方法を実行する。
【００５２】
第十二の態様によるデータ伝送装置は、受信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサが第四の態様又は第四の態様のいずれかの可能な実施形態における方法を実行する。
【００５３】
第十三の態様によるデータを伝送するためのシステムは、第五の態様に記載される装置と第六の態様に記載される装置を備える。
【００５４】
第十四の態様によるデータを伝送するためのシステムは、第五の態様に記載される装置、第六の態様に記載される装置と第七の態様に記載される装置を備える。
【００５５】
第十五の態様によるデータを伝送するためのシステムは、第五の態様に記載される装置、第六の態様に記載される装置、第七の態様に記載される装置と第八の態様に記載される装置を備える。
【００５６】
第十六の態様によるコンピュータ可読媒体は、第一の態様又は第一の態様のいずれかの可能な実施形態における方法を実行するための命令を含むコンピュータプログラムを記憶することに用いられる。
【００５７】
第十七の態様によるコンピュータ可読媒体は、第二の態様又は第二の態様のいずれかの可能な実施形態における方法を実行するための命令を含むコンピュータプログラムを記憶することに用いられる。
【００５８】
第十八の態様によるコンピュータ可読媒体は、第三の態様又は第三の態様のいずれかの可能な実施形態における方法を実行するための命令を含むコンピュータプログラムを記憶することに用いられる。
【００５９】
第十九の態様によるコンピュータ可読媒体は、第四の態様又は第四の態様のいずれかの可能な実施形態における方法を実行するための命令を含むコンピュータプログラムを記憶することに用いられる。
【図面の簡単な説明】
【００６０】
【図１】本発明の実施例の応用シーンを示す図である。
【図２】本発明の実施例によるデータ伝送方法の概略図である。
【図３】本発明の実施例によるデータ伝送方法の別の概略図である。
【図４】本発明の実施例によるデータ伝送方法の別の概略図である。
【図５】本発明の実施例によるデータ伝送方法の別の概略図である。
【図６】本発明の実施例によるデータ伝送方法の別の概略図である。
【図７】本発明の実施例によるデータ伝送装置の概略ブロック図である。
【図８】本発明の実施例によるデータ伝送装置の別の概略ブロック図である。
【図９】本発明の実施例によるデータ伝送装置の別の概略ブロック図である。
【図１０】本発明の実施例によるデータ伝送装置の別の概略ブロック図である。
【図１１】本発明の実施例によるデータを伝送するためのシステムの概略ブロック図である。
【図１２】本発明の実施例によるデータを伝送するためのシステムの概略ブロック図である。
【図１３】本発明の実施例によるデータを伝送するためのシステムの概略ブロック図である。
【図１４】本発明の実施例によるデータ伝送装置の概略ブロック図である。
【図１５】本発明の実施例によるデータ伝送装置の別の概略ブロック図である。
【図１６】本発明の実施例によるデータ伝送装置の別の概略ブロック図である。
【図１７】本発明の実施例によるデータ伝送装置の別の概略ブロック図である。
【発明を実施するための形態】
【００６１】
本発明の実施例の技術的解決策をより明確に説明するために、以下に実施例又は従来技術の説明に必要な図面を簡単に説明し、明らかに、以下に記載される図面が本発明のくつかの実施例だけであり、当業者であれば、創造的な労力を要することなく、これらの図面に基づいて他の図面を得ることができる。
【００６２】
以下に本発明の実施例の図面を組み合わせながら、本発明の実施例における技術的解決策を明確で、全面的に説明し、明らかに、説明される実施例は本発明の一部の実施例だけであり、全ての実施例ではない。本発明の実施例に基づき、当業者が創造的な労力を要せずに得た他の実施例は、全て本発明の保護範囲に属する。
【００６３】
理解すべきものとして、本発明の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信システム（Ｆｒｅｑｕｅｎｃｙ  Ｄｉｖｉｓｉｏｎ  Ｄｕｐｌｅｘ：「ＦＤＤ」と略称）、ＬＴＥ時分割複信（Ｔｉｍｅ  Ｄｉｖｉｓｉｏｎ  Ｄｕｐｌｅｘ  Ｓｙｓｔｅｍ：「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００６４】
また、理解すべきものとして、本発明の実施例では、端末装置はユーザ機器（Ｕｓｅｒ  Ｅｑｕｉｐｍｅｎｔ：「ＵＥ」と略称）、端末装置、移動局（Ｍｏｂｉｌｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」と略称）を介して一つ又は複数のコアネットワークと通信を行うことができ、例えば、端末は携帯電話（又は「セルラ」電話と呼ばれる）又は移動端末を有しているコンピュータなどであってもよく、例えば、端末はさらにポータブル、ポケット、ハンドヘルド、コンピュータ内蔵又は車載の移動装置であってもよく、それらは無線アクセスネットワークと音声及び／又はデータを交換する。
【００６５】
第一のプライマリネットワーク装置と第二のプライマリネットワーク装置は移動端末との通信に用いられてもよく、ネットワーク装置はグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）又は符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）における基地局（Ｂａｓｅ  Ｔｒａｎｓｃｅｉｖｅｒ  Ｓｔａｔｉｏｎ：「ＢＴＳ」と略称）であってもよいし、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）における基地局（ＮｏｄｅＢ：「ＮＢ」と略称）であってもよいし、ＬＴＥにおける進化型基地局（Ｅｖｏｌｕｔｉｏｎａｌ  Ｎｏｄｅ  Ｂ：「ｅＮＢ」又は「ｅＮｏｄｅＢ」と略称）、又は中継局又はアクセスポイント、又は車載デバイス、ウェアラブルデバイス及び将来の５Ｇネットワークにおけるアクセスネットワーク装置であってもよい。
【００６６】
コアネットワーク装置はモビリティ管理エンティティ（Ｍｏｂｉｌｉｔｙ  Ｍａｎａｇｅｍｅｎｔ  Ｅｎｔｉｔｙ：「ＭＭＥ」と略称）であってもよいし、サービングゲートウェイ（Ｓｅｒｖｉｎｇ  Ｇａｔｅｗａｙ：「Ｓ−ＧＷ」と略称）又はパケットデータゲートウェイ（ＰＤＮ  Ｇａｔｅｗａｙ：「Ｐ−ＧＷ」）であってもよく、本出願はこれに限定されない。
【００６７】
ペアラは無線アクセスネットワーク（ＲＡＮ：Ｒａｄｉｏ  Ａｃｃｅｓｓ  Ｎｅｔｗｏｒｋ）側がユーザサービスの容量、遅延、ビットレートを制御する基本単位であり、一つのユーザは複数のベアラを使用して異なるサービスを実行することができる。
【００６８】
本発明の実施例では、第一のプライマリネットワーク装置と第二のプライマリネットワーク装置は例えばマクロセル基地局（Ｍａｃｒｏｃｅｌｌ）であってもよく、セカンダリネットワーク装置は例えばマイクロセル基地局（Ｍｉｃｒｏｃｅｌｌ）、ピコセル基地局（Ｐｉｃｏｃｅｌｌ）、フェムトセル基地局（Ｆｅｍｔｏｃｅｌｌ）であってもよいが、本発明の実施例はこれに限定されない。
【００６９】
より具体的には、該第一のプライマリネットワーク装置はＬＴＥネットワーク装置であってもよく、該セカンダリネットワーク装置はＮＲネットワーク装置であり、理解すべきものとして、本発明の実施例はこれに限定されず、該プライマリネットワーク装置はＧＳＭネットワーク装置、ＣＤＭＡネットワーク装置などであってもよく、該セカンダリネットワーク装置もＧＳＭネットワーク装置、ＣＤＭＡネットワーク装置などであってもよく、本発明の実施例はこれに限定されない。
【００７０】
図１は本出願の一つの応用シーンを示す図であり、端末装置周辺のネットワークは第一のプライマリネットワーク装置１１０と少なくとも一つのセカンダリネットワーク装置１２０を含み、該第一のプライマリネットワーク装置１１０はＬＴＥネットワークであってもよく、該セカンダリネットワーク装置１２０はＮＲＦネットワークであってもよい。端末装置１３０は第一のプライマリネットワーク装置１１０とセカンダリネットワーク装置１２０と同時に接続を確立することができ、端末装置１３０が第一のプライマリネットワーク装置１１０と確立した接続はプライマリ接続であり、端末装置１３０がセカンダリネットワーク装置１２０と確立した接続はセカンダリ接続であり、端末装置１３０の制御プレーンデータはプライマリ接続により伝送されてもよく、端末装置のユーザプレーンデータはプライマリ接続とセカンダリ接続により同時に伝送されてもよく、セカンダリ接続のみにより伝送されてもよく、本発明の実施例における第一のプライマリネットワーク装置１１０はプリセット条件を満たしているセカンダリネットワーク装置１２０を選択して端末装置１１０の制御プレーンデータを伝送することができ、これにより第一のプライマリネットワーク装置１１０の負荷をさらに低減することができ、例えば、該プリセット条件はセカンダリネットワーク装置１２０と端末装置１３０の間のリンク品質がデータ伝送条件を満たしていることであってもよい。
【００７１】
本発明の実施例では、セカンダリネットワーク装置１２０はサービスニーズとユーザ密度に応じて柔軟に配置されてもよく、その作用は第一のプライマリネットワーク装置１１０を補助してデータ分担を行い、該データが端末装置１３０のユーザプレーンデータと制御プレーンデータを含むことができ、セカンダリネットワーク装置１２０の配備が不連続であってもよく、隣接するセカンダリセルが面積上大きく重なることもでき、本発明の実施例はこれに限定されない。
【００７２】
図２は本発明の一つの実施例によるデータ伝送方法２００の概略フローチャートであり、該方法２００の実行主体は例えば図１に示す第一のプライマリネットワーク装置１１０であっても良く、アクセスネットワーク装置、例えばＬＴＥにおけるｅＮＢであってもよく、該方法２００はＳ２０１〜Ｓ２０４を含む。
【００７３】
Ｓ２０１において、端末装置は第一のプライマリネットワーク装置へのアクセス過程で第一のプライマリネットワーク装置へセカンダリネットワーク装置の測定結果情報を送信し、前記測定結果情報が前記セカンダリネットワーク装置と前記端末装置の間のリンク品質を示すことに用いられる。
【００７４】
理解すべきものとして、該端末装置が第一のプライマリネットワーク装置にアクセスする過程は、端末装置が、アイドル状態においてデータを伝送する必要がある時に、第一のプライマリネットワーク装置にアクセスする過程であってもよく、もしくは、端末装置がデータ接続状態にある時に、端末装置にサービスを提供するネットワーク装置が第二のプライマリネットワーク装置から第一のプライマリネットワーク装置にハンドオーバーする必要がある場合であっても良く、該端末装置が該第一のプライマリネットワーク装置にアクセスする過程は、具体的にアクセス過程におけるどのステップであるのは本発明の実施例でこれに限定されない。
【００７５】
Ｓ２０２において、前記第一のプライマリネットワーク装置が、端末装置が前記第一のプライマリネットワーク装置へのアクセス過程で送信した前記セカンダリネットワーク装置の測定結果情報を受信した後、前記第一のプライマリネットワーク装置は前記セカンダリネットワーク装置と前記端末装置の間のリンク品質に基づき、前記セカンダリネットワーク装置と端末装置とのセカンダリ接続の確立を確定する。
【００７６】
理解すべきものとして、前記セカンダリ接続はデータを伝送することに用いられ、前記データは第一の制御プレーンデータ及び／又はユーザプレーンデータを含む。
【００７７】
Ｓ２０３において、前記第一のプライマリネットワーク装置は前記セカンダリ接続を確立する。
【００７８】
理解すべきものとして、該第一のプライマリネットワーク装置がセカンダリ接続を確立することは、該第一のプライマリネットワーク装置が端末装置とセカンダリネットワーク装置の中間装置として端末装置から送信された測定結果情報を受信し、セカンダリネットワーク装置へ測定結果情報を送信し、セカンダリネットワーク装置から送信されたセカンダリ接続の配置情報を受信し、前記セカンダリ接続の配置情報が前記セカンダリネットワーク装置と前記端末装置とのセカンダリ接続の確立に用いられ、該セカンダリ接続の配置情報を端末装置などに送信することであってもよく、セカンダリ接続の確立過程は、第一のプライマリネットワーク装置が情報を転送する過程と理解されても良く、端末装置はセカンダリ接続の配置情報を受信した後、該セカンダリ接続の配置情報に基づいてセカンダリネットワーク装置とのセカンダリ接続を確立する。
【００７９】
Ｓ２０４において、前記端末装置は前記セカンダリ接続の配置情報によって前記セカンダリネットワーク装置にアクセスする。
【００８０】
具体的には、端末装置はセカンダリネットワーク装置の測定結果情報を第一のプライマリネットワーク装置へのアクセス過程において第一のプライマリネットワーク装置に送信することができ、第一のプライマリネットワーク装置は端末装置の測定結果情報を受信した後、該測定結果情報に基づき、セカンダリネットワーク装置と端末装置とのセカンダリ接続を確立する必要があることを確定し、その後、該第一のプライマリネットワーク装置は該セカンダリ接続を確立し、端末装置は該セカンダリ接続によりデータを伝送し、このようにして、端末装置がアクセス過程でセカンダリネットワーク装置の測定結果情報を第一のプライマリネットワーク装置に送信することにより、データをセカンダリネットワーク装置にできるだけ早くバイパスすることができ、それによって第一のプライマリネットワーク装置によって確立されたセカンダリ接続ができるだけ早く第一のプライマリネットワーク装置のためにデータをバイパスすることでき、これにより第一のプライマリネットワーク装置の伝送負荷を低減することができる。
【００８１】
選択可能に、セカンダリ接続が制御プレーンデータ及び／又はユーザプレーンデータの伝送に用いられ、従来技術ではデータ接続過程において第一のプライマリネットワーク装置のためにユーザプレーンデータのみを分担し、このようにして、第一のプライマリネットワーク装置が、端末装置が第一のプライマリネットワーク装置にアクセスする過程において確立したセカンダリ接続は、第一のプライマリネットワーク装置のためにユーザプレーンデータのバイパスを分担することができるだけでなく、第一のプライマリネットワーク装置のために制御プレーンデータのバイパスを分担することもでき、プライマリネットワーク装置に対するセカンダリネットワーク装置のバイパス能力をさらに高め、第一のプライマリネットワーク装置の伝送負荷を低減させる。
【００８２】
さらに、セカンダリ接続がデータ伝送に用いられ、データがユーザプレーンデータと制御プレーンデータを含み、第一のプライマリネットワーク装置によって確立されたセカンダリ接続により、ユーザプレーンデータだけでなく、第一の制御プレーンデータを伝送することができ、第一のプライマリネットワーク装置と端末装置との接続がプライマリ接続と呼ばれてもよく、該プライマリ接続によりユーザプレーンデータだけでなく、第二の制御プレーンデータを伝送することができ、即ち端末装置のユーザプレーンデータがプライマリ接続のみ又はセカンダリのみにより伝送されることができるだけではなく、又はユーザプレーンデータがプライマリ接続及びセカンダリ接続により共同で伝送されてもよく、端末装置の制御プレーンデータがプライマリ接続のみ又はセカンダリのみにより伝送されてもよく、又は制御プレーンデータがプライマリ接続及びセカンダリ接続により共同で伝送されてもよく、本発明の実施例はデータの伝送方式に対して限定しない。
【００８３】
さらに、データはアップリンクデータとダウンリンクデータを含み、アップリンクデータがアップリンク制御プレーンデータとアップリンクユーザプレーンデータを含み、ダウンリンクデータがダウンリンク制御プレーンデータとダウンリンクユーザプレーンデータを含み、本発明における伝送がアップリンク伝送及び／又はダウンリンク伝送として理解されてもよい。
【００８４】
一つの選択可能な実施例として、端末装置はアイドル状態にある時に、第一のプライマリネットワーク周辺のセカンダリネットワーク装置を測定し、選択可能に、端末装置はネットワークプロトコルの規定に従ってセカンダリネットワーク装置を測定することができ、第一のプライマリネットワーク装置の配置に従って測定することもでき、例えばプロトコルの規定又は第一のプライマリネットワーク装置の配置に従って一定の間隔周期内で該第一のプライマリネットワーク装置周辺のセカンダリネットワーク装置を測定することもでき、選択可能に、端末装置は受信されたシステムメッセージにおけるネットワークの配置情報に基づいてセカンダリネットワーク装置を測定することができ、本発明の実施例はこれに限定されない。
【００８５】
一つの選択可能な実施例として、前記端末装置が第一のプライマリネットワーク装置へのアクセス過程で第一のプライマリネットワーク装置へセカンダリネットワーク装置の測定結果を送信する前に、前記方法はさらに前記端末装置と前記セカンダリネットワークの間のチャネル品質がプリセット条件を満たしている場合、前記端末装置が前記第一のプライマリネットワーク装置へのアクセス過程で前記第一のプライマリネットワーク装置へ前記測定結果情報を送信することを含む。
【００８６】
具体的には、該プリセット条件は、プロトコルの規定に従う特定の周期であってもよく、端末装置がセカンダリネットワーク装置とのチャネル品質が第一のプライマリネットワーク装置とのチャネル品質より高いことを検出したことであってもよいし、セカンダリネットワーク装置のチャネル品質が一定の閾値より高いことを検出したことであってもよいし、現在の基準信号電力が設定された閾値より低いことなどであってもよいし、端末装置がリアルタイムに測定したり、リアルタイムに報告したりすることなどであってもよく、本発明の実施例は端末装置が測定結果情報を報告するトリガ条件に対して限定しない。
【００８７】
一つの選択可能な実施例として、前記端末装置が第一のプライマリネットワーク装置へのアクセス過程で第一のプライマリネットワーク装置へセカンダリネットワーク装置の測定結果情報を送信することは、前記端末装置が無線リソース制御（Ｒａｄｉｏ  Ｒｅｓｏｕｒｃｅ  Ｃｏｎｔｒｏｌ：「ＲＲＣ」と略称）接続確立リクエストメッセージによって前記第一のプライマリネットワーク装置へ前記測定結果情報を送信することを含む。前記第一のプライマリネットワーク装置が、端末装置が前記第一のプライマリネットワーク装置へのアクセス過程において送信した前記セカンダリネットワーク装置の測定結果情報を受信することは、前記第一のプライマリネットワーク装置が無線リソース制御（ＲＲＣ）接続確立リクエストメッセージに含まれる前記測定結果情報を受信することを含む。
【００８８】
一つの選択可能な実施例では、前記端末装置が第一のプライマリネットワーク装置へのアクセス過程で第一のプライマリネットワーク装置へセカンダリネットワーク装置の測定結果情報を送信することは、前記端末装置がＲＲＣ接続確立完了メッセージによって前記第一のプライマリネットワーク装置へ前記測定結果情報を送信し、前記ＲＲＣ接続確立完了メッセージに前記測定結果情報が含まれることを含む。前記第一のプライマリネットワーク装置が、端末装置が前記プライマリネットワーク装置へのアクセス過程で送信した前記セカンダリネットワーク装置の測定結果情報を受信することは、前記第一のプライマリネットワーク装置が無線リソース制御（ＲＲＣ）接続確立完了メッセージに含まれる測定結果情報を受信することを含む。
【００８９】
具体的には、アイドル状態において端末装置がデータを伝送する必要がある時に、端末装置は第一のプライマリネットワーク装置へＲＲＣ接続確立リクエストメッセージを送信し、セカンダリネットワーク装置の測定結果情報をＲＲＣ接続確立リクエストメッセージに含ませることができ、ＲＲＣ接続確立が完了した場合、端末装置は第一のプライマリネットワーク装置へＲＲＣ接続確立完了メッセージを送信する必要がある時に、セカンダリネットワーク装置の測定結果情報をＲＣＣ接続確立完了メッセージに含ませることができ、このようにして、アクセス過程で測定結果情報を第一のプライマリネットワーク装置に送信することを実現することができる。
【００９０】
理解すべきものして、本発明の実施例では、端末装置はセカンダリネットワーク装置の測定結果情報をいずれかのアップリンク情報に含ませて第一のプライマリネットワーク装置に送信することができ、選択可能に、該測定結果情報は端末装置が第一のプライマリネットワーク装置にアクセスする過程におけるアップリンクメッセージに含まれてもよく、別個のアップリンクメッセージで第一のプライマリネットワーク装置へ送信されてもよく、本発明の実施例はこれに限定されない。
【００９１】
一つの選択可能な実施例として、第二のプライマリネットワーク装置が端末装置から送信された測定結果情報を受信し、前記測定結果情報がセカンダリネットワーク装置と前記端末装置の間のリンク品質を示すことに用いられ、前記第二のプライマリネットワーク装置は前記第一のプライマリネットワーク装置へ前記測定結果情報を送信し、前記第一のプライマリネットワーク装置が前記測定結果情報に基づき、前記セカンダリネットワーク装置と前記端末装置とのセカンダリ接続の確立を確立するようにし、前記第一のプライマリネットワーク装置が前記端末装置のハンドオーバーするターゲットネットワーク装置であり、前記第二のプライマリネットワーク装置が前記端末装置のハンドオーバーするソースネットワーク装置である。
【００９２】
一つの選択可能な実施例として、前記端末装置が第一のプライマリネットワーク装置へのアクセス過程で第一のプライマリネットワーク装置へセカンダリネットワーク装置の測定結果情報を送信することは、前記端末装置が第二のプライマリネットワーク装置を介して前記第一のプライマリネットワーク装置へ測定結果情報を送信し、前記測定結果情報が前記端末装置から前記第二のプライマリネットワーク装置に送信される測定レポートに含まれ、前記第二のプライマリネットワーク装置が前記測定レポートに基づいて前記第一のプライマリネットワーク装置へハンドオーバーリクエストメッセージを送信するようにすることを含み、前記第一のプライマリネットワーク装置が、端末装置が前記プライマリネットワーク装置へのアクセス過程で送信したセカンダリネットワーク装置の測定結果情報を受信することは、前記第一のプライマリネットワーク装置が第二のプライマリネットワーク装置から送信されたハンドオーバーリクエストメッセージに含まれる前記測定結果情報を受信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含む。
【００９３】
一つの選択可能な実施例として、前記第一のプライマリネットワーク装置が前記セカンダリ接続を確立することは、前記第一のプライマリネットワーク装置が前記第二のプライマリネットワーク装置から送信されたハンドオーバーリクエストメッセージを受信した後、前記第一のプライマリネットワーク装置が前記第二のプライマリネットワーク装置へハンドオーバーリクエストメッセージの確認メッセージを送信し、前記ハンドオーバーリクエストメッセージの確認メッセージに前記セカンダリ接続の配置情報が含まれ、前記第二のプライマリネットワーク装置が前記セカンダリ接続の配置情報を前記端末装置に送信するようにし、前記セカンダリ接続の配置情報が前記セカンダリネットワーク装置と前記端末装置との前記セカンダリ接続の確立に用いられることと、前記第二のプライマリネットワーク装置が前記セカンダリ接続の配置情報を前記端末装置に送信することと、前記端末装置が前記セカンダリ接続の配置情報を受信することとを含む。
【００９４】
具体的には、端末装置がデータ接続状態にあり、端末装置にサービスを提供するネットワーク装置が第二のプライマリネットワーク装置である場合、端末装置は第二のプライマリネットワーク装置へ測定レポートを送信することができ、該測定レポートが該第二のプライマリネットワーク装置の測定レポートであり、セカンダリネットワーク装置の測定結果情報を該測定レポートに含ませることができ、第二のプライマリネットワーク装置が該測定レポートを受信した場合、該測定レポートにおけるセカンダリネットワーク装置の測定結果情報を取得し、第二のプライマリネットワーク装置が測定レポートに基づき、ハンドオーバーする必要があることを確定する場合、即ち端末装置にサービスを提供するネットワーク装置を第二のプライマリネットワーク装置から第一のプライマリネットワーク装置にハンドオーバーする場合、第二のプライマリネットワーク装置は現在のネットワークトポロジ構造に基づき、第一のプライマリネットワーク装置の周辺にどのセカンダリネットワーク装置があるかを確定することができ、第一のプライマリネットワーク装置周辺のセカンダリネットワーク装置に対応する測定結果をハンドオーバーリクエストメッセージに含ませて第一のプライマリネットワーク装置に送信し、第一のプライマリネットワーク装置がハンドオーバーリクエストメッセージを受信した場合、該ハンドオーバーリクエストメッセージにおける測定結果情報をセカンダリ接続追加リクエストメッセージに含ませて該第一のプライマリネットワーク装置周辺のセカンダリネットワーク装置へ送信し、セカンダリネットワーク装置がセカンダリ接続追加リクエストメッセージを受信した後、測定結果情報とそれ自体の負荷状態に基づき、セカンダリ接続の確立を許可するか否かを確定し、セカンダリ接続の確立を確定した場合、第一のプライマリネットワーク装置へセカンダリ接続追加リクエストメッセージの確認メッセージを送信し、該セカンダリ接続追加リクエストメッセージの確認メッセージに該セカンダリネットワーク装置のセカンダリ接続の配置情報が含まれ、第一のプライマリネットワーク装置は該セカンダリ接続の配置情報をハンドオーバーリクエストメッセージの確認メッセージに含ませて第二のプライマリネットワーク装置へ送信し、該第二のプライマリネットワーク装置は該セカンダリ接続の
配置情報を端末装置に送信し、端末装置は該セカンダリ接続の配置情報に基づいて第一のプライマリネットワーク装置周辺のセカンダリネットワーク装置とのセカンダリ接続を確立してデータを伝送する。
【００９５】
一つの選択可能な実施形態として、前記端末装置が第一のプライマリネットワーク装置へのアクセス過程で第一のプライマリネットワーク装置へセカンダリネットワーク装置の測定結果情報を送信することは、前記端末装置がハンドオーバー完了メッセージによって前記第一のプライマリネットワーク装置へ前記測定結果情報を送信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すことに用いられることを含む。前記第一のプライマリネットワーク装置が、端末装置が前記プライマリネットワーク装置へのアクセス過程で送信したセカンダリネットワーク装置の測定結果情報を受信することは、前記第一のプライマリネットワーク装置が前記端末装置から送信された、ハンドオーバー完了メッセージに含まれる前記測定結果情報を受信することを含む。
【００９６】
具体的には、端末装置にサービスを提供するネットワーク装置が第二のプライマリネットワーク装置から第一のプライマリネットワーク装置にハンドオーバーする必要がある場合、セカンダリネットワーク装置の測定結果情報を端末装置から第一のプライマリネットワーク装置に送信されるハンドオーバー完了メッセージに含ませることができ、このようにして、端末装置がハンドオーバー過程でセカンダリ接続を確立することを実現でき、それによってデータ伝送の連続性をさらに保証する。
【００９７】
一つの選択可能な実施例として、前記セカンダリネットワーク装置が前記第一のプライマリネットワーク装置へセカンダリ接続の配置情報を送信し、Ｓ２０３は、前記第一のプライマリネットワーク装置が前記セカンダリネットワーク装置から送信されたセカンダリ接続の配置情報を受信し、前記セカンダリ接続の配置情報が前記セカンダリネットワーク装置と前記端末装置との前記セカンダリ接続の確立に用いられることと、前記第一のプライマリネットワーク装置が前記端末装置へ前記セカンダリ接続の配置情報を送信し、前記端末装置が前記第一のプライマリネットワーク装置のセカンダリ接続の配置情報を受信することとを含む。
【００９８】
選択可能に、前記第一のプライマリネットワーク装置が前記端末装置へ前記セカンダリ接続の配置情報を送信することは、第一のプライマリネットワーク装置が端末装置へＲＲＣ接続再構成メッセージを送信し、該ＲＲＣ接続再構成メッセージに該セカンダリ接続の配置情報が含まれることを含み、前記端末装置が前記第一のプライマリネットワーク装置のセカンダリ接続の配置情報を受信することは、該端末装置が該第一のプライマリネットワーク装置から送信されたＲＲＣ接続再構成メッセージを受信し、該ＲＲＣ接続再構成メッセージに該セカンダリ接続の配置情報が含まれることを含む。
【００９９】
理解すべきものとして、セカンダリ接続の配置情報は第一のプライマリネットワーク装置から端末装置へ送信されるダウンリンクメッセージに含まれてもよく、選択可能に、セカンダリ接続の配置情報は端末装置がアクセスする第一のプライマリネットワーク装置のダウンリンクメッセージに含まれてもよく、セカンダリ接続の配置情報が端末装置に個別に送信されてもよく、本発明の実施例はこれに限定されない。
【０１００】
さらに、該セカンダリ接続の配置情報は、ベアラの配置情報、セキュリティコンテキストの配置情報などであってもよく、本発明の実施例はこれに限定されない。
【０１０１】
一つの選択可能な実施例として、前記第一のプライマリネットワーク装置が前記セカンダリ接続を確立することは、前記第一のプライマリネットワーク装置が前記セカンダリネットワーク装置へセカンダリ接続追加リクエストメッセージを送信し、前記セカンダリ接続追加リクエストメッセージが前記セカンダリネットワーク装置をデータを伝送するためのネットワーク装置として追加するようにリクエストすることに用いられることと、前記第一のプライマリネットワーク装置が前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続の確立に用いられることと、前記第一のプライマリネットワーク装置が前記セカンダリ接続の配置情報を取得することと、前記第一のプライマリネットワーク装置が前記端末装置へ前記セカンダリ接続の配置情報を送信することとを含む。
【０１０２】
選択可能に、該セカンダリ接続追加リクエストメッセージに該セカンダリネットワーク装置の測定結果情報、端末装置のアクセス能力情報、サービス品質（Ｑｕａｌｉｔｙ  ｏｆ  Ｓｅｒｖｉｃｅ：「ＱｏＳ」と略称）のうちの少なくとも一つが含まれ、これにより、セカンダリネットワーク装置はこれらの情報に基づき、セカンダリ接続の確立を許可するか否かを確定し、セカンダリネットワーク装置がこれらの情報及びセカンダリネットワーク装置の現在の負荷状態に基づき、セカンダリ接続の確立を許可することを確定した場合、第一のプライマリネットワーク装置へセカンダリ接続追加リクエストメッセージの確認メッセージを返信し、該確認メッセージにセカンダリ接続の配置情報が含まれ、該セカンダリ接続の配置情報がセカンダリ接続の確立に用いられ、セカンダリネットワーク装置がこれらの情報に基づき、セカンダリ接続の確立を許可しないことを確定した場合、第一のプライマリネットワーク装置へ失敗指示情報を返信し、該失敗指示情報に、セカンダリネットワーク装置のＱｏＳがデータの伝送を満たしていることができないこと、セカンダリネットワーク装置のリンク品質が低すぎること、セカンダリネットワーク装置が現在輻輳状態にあることなどのセカンダリ接続の確立を許可しない理由が含まれる。第一のプライマリネットワーク装置が端末装置から報告された該セカンダリネットワーク装置の測定結果情報を受信した場合、該第一のプライマリネットワーク装置は該失敗指示情報における失敗理由に基づき、該セカンダリネットワーク装置へ該測定結果情報を送信するか否かを確定することができ、例えば、該セカンダリネットワーク装置の失敗理由がネットワーク輻輳であり、該セカンダリネットワーク装置の測定結果情報を受信した場合、該セカンダリネットワーク装置へ測定結果情報を送信しなくてもよく、このようにして電力消費を低減することができる。
【０１０３】
一つの選択可能な実施例として、前記第一のプライマリネットワークが、端末装置が前記プライマリネットワーク装置へのアクセス過程で送信した前記セカンダリネットワーク装置の測定結果情報を受信する前に、前記方法はさらに前記第一のプライマリネットワーク装置が前記端末装置へ第一の指示情報を送信し、前記第一の指示情報が前記第一のプライマリネットワーク装置へ前記測定結果情報を送信するように前記端末装置に指示することに用いられることと、前記端末装置が前記第一のプライマリネットワーク装置から送信された第一の指示情報を受信することとを含み、ここで、前記第一のプライマリネットワーク装置が、端末装置が前記プライマリネットワーク装置へのアクセス過程で送信した前記セカンダリネットワーク装置の測定結果情報を受信することはさらに前記第一のプライマリネットワーク装置が、前記端末装置が前記第一の指示情報に基づいて送信した前記測定結果情報を受信することを含む。
【０１０４】
さらに、該第一の指示情報はセカンダリネットワーク装置の測定結果情報を報告するように端末装置に指示することに用いられてもよく、例えば測定結果情報を報告する時間、測定結果情報を報告する方式であってもよく、具体的には、該第一の指示情報はＲＲＣ接続確立リクエストメッセージに測定結果情報を含ませて報告するように端末装置に指示することができ、ＲＲＣ接続確立完了メッセージに測定結果情報を含ませて報告するように端末装置に指示することもでき、測定レポートに測定結果情報を含ませて報告するように端末装置に指示することもでき、ハンドオーバー完了情報に測定結果情報を含ませて報告するように端末装置に指示することもでき、本発明の実施例はこれに限定されない。当然、第一の指示情報は上記情報における具体的な測定結果情報の具体的なバイト位置を示すこともできる。
【０１０５】
選択可能に、第一のプライマリネットワーク装置が端末装置へ第一の指示情報を送信する前に、該方法はさらに端末装置が第一のプライマリネットワーク装置へ第三の指示情報を送信することができ、第一のプライマリネットワーク装置が端末装置からの第三の指示情報を受信し、第三の指示情報が、端末装置がセカンダリネットワーク装置の測定結果指示情報を記憶しているか否かを示すことに用いられることを含み、さらに、端末装置は第三の指示情報を第一のプライマリネットワーク装置へ送信されるアップリンクメッセージに含ませることができ、例えばあるアップリンクメッセージにおいて特殊バイト位置が０である場合、端末装置が測定指示情報を記憶していないことを示し、特殊バイト位置が１である場合、端末装置が測定指示情報を記憶していることを示す。第一のプライマリネットワーク装置が端末装置から送信された第三の指示情報を受信し、端末装置が測定結果指示情報を記憶していることを確定した場合、端末装置へ第一の指示情報を送信し、測定結果情報を報告するように端末装置に指示する。
【０１０６】
一つの選択可能な実施例として、前記第一のプライマリネットワーク装置が前記測定結果情報に基づき、前記セカンダリネットワーク装置と端末装置とのセカンダリ接続の確立を確定することは、前記第一のプライマリネットワーク装置が前記第一のプライマリネットワーク装置の負荷状況と前記測定結果情報に基づき、前記セカンダリネットワーク装置と前記端末装置とのセカンダリ接続の確立を確定することを含む。
【０１０７】
具体的には、第一のプライマリネットワーク装置がそれ自体の負荷状態とセカンダリネットワーク装置の測定結果情報に基づき、セカンダリ接続を確立するか否かを確定することができ、例えば、第一のプライマリネットワーク装置の負荷が小さく、現在のアクセスされている端末装置が少なく、セカンダリネットワーク装置のチャネル品質が普通である場合、第一のプライマリネットワーク装置はセカンダリ接続を確立しないことを確定し、このようにしてセカンダリネットワーク装置へセカンダリ接続追加リクエストメッセージを送信する必要がなく、第一のプライマリネットワーク装置が輻輳状態にあり、セカンダリネットワーク装置のチャネル品質が第一のプライマリネットワーク装置のチャネル品質より高い場合、第一のプライマリネットワーク装置はセカンダリ接続を確立する必要があることを確定し、セカンダリネットワーク装置へセカンダリ接続追加リクエストメッセージを送信し、プライマリネットワーク装置の負荷を分担するようにセカンダリネットワーク装置にリクエストする。
【０１０８】
一つの選択可能な実施例として、前記セカンダリ接続追加リクエストメッセージの確認メッセージに少なくとも一つのセカンダリセルの識別子情報がさらに含まれ、前記少なくとも一つのセカンダリセルは前記セカンダリネットワークによってサービスを提供するセルであり、前記第一のプライマリネットワーク装置が前記測定結果情報に基づき、前記セカンダリネットワーク装置と端末装置とのセカンダリ接続の確立を確定した後、前記方法はさらに前記第一のプライマリネットワーク装置が前記端末装置へ前記少なくとも一つのセカンダリセルの識別子情報を送信し、前記端末装置が前記第一のプライマリネットワーク装置から送信された少なくとも一つのセカンダリセルの識別子情報を受信し、端末装置が前記識別子情報に基づいて前記少なくとも一つのセカンダリセルにアクセスすることを含む。
【０１０９】
具体的には、セカンダリネットワーク装置がセカンダリ接続追加リクエストメッセージを受信した場合、セカンダリ接続追加リクエストメッセージに含まれるセカンダリネットワーク装置の測定結果情報及びセカンダリネットワーク装置自体の負荷状態に基づき、セカンダリ接続の確立を許可するか否かを確定し、セカンダリ接続の確立を許可する場合、第一のプライマリネットワーク装置へセカンダリ接続追加リクエストメッセージの確認メッセージを返信し、該確認メッセージにセカンダリ接続の配置情報以外、少なくとも一つのセカンダリセルの識別子情報、例えばセル識別子リストが含まれてもよく、第一のプライマリネットワーク装置は該セカンダリ接続追加リクエストメッセージの確認メッセージを受信した後に、該少なくとも一つのセカンダリセルの識別子情報を端末装置に送信し、これにより、端末装置はセル識別子情報に基づいて対応するセカンダリセルにアクセスすることができる。
【０１１０】
一つの選択可能な実施例として、前記第一のプライマリネットワーク装置が前記セカンダリ接続を確立した後、前記方法はさらに前記第一のプライマリネットワーク装置が前記セカンダリネットワーク装置へ第二の指示情報を送信し、前記セカンダリネットワーク装置が前記第一のプライマリネットワーク装置から送信された第二の指示情報を受信し、前記第二の指示情報が前記第一の制御プレーンデータを伝送するように前記セカンダリネットワーク装置に指示することに用いられることを含む。
【０１１１】
具体的には、端末装置の第一の制御プレーンデータはセカンダリネットワーク装置によって直接伝送されてもよく、第一の制御プレーンデータはプライマリネットワークを介してセカンダリネットワーク装置に伝送され、セカンダリネットワーク装置によって端末装置へ伝送されてもよく、したがって、第一の制御プレーンデータがプライマリネットワークを介してセカンダリネットワーク装置に伝送され、さらに端末装置に伝送される必要がある場合、第一のプライマリネットワーク装置はセカンダリネットワーク装置へ第二の指示情報を送信することにより、第一の制御プレーンデータを伝送するようにセカンダリネットワーク装置に指示することができ、即ちネットワーク装置配置の方式により、第一の制御プレーンデータを伝送するようにセカンダリネットワーク装置に通知することができる。
【０１１２】
一つの選択可能な実施例として、前記方法はさらに前記第一のプライマリネットワーク装置が前記端末装置へプライマリ接続の配置情報を送信し、前記プライマリ接続の配置情報が、前記端末装置が前記第一のプライマリネットワーク装置とのプライマリ接続を確立することに用いられ、前記プライマリ接続がデータを伝送することに用いられることを含む。
【０１１３】
選択可能に、前記データパケットは第一の制御プレーンデータと第二の制御プレーンデータを含む。
【０１１４】
具体的には、ネットワーク側が端末側へ制御プレーンデータを伝送する必要がある場合、該制御プレーンデータはプライマリ接続により伝送されてもよく、この場合、第一のプライマリネットワーク装置はプライマリ接続の配置情報を端末装置に送信する必要があり、該制御プレーンデータがセカンダリ接続により伝送される場合、第一のプライマリネットワーク装置はセカンダリ接続の配置情報を端末装置に送信し、該第一の制御プレーンデータがセカンダリ接続により伝送され、第二の制御プレーンデータがプライマリ接続により伝送される場合、第一のプライマリネットワーク装置はセカンダリ接続の配置情報とプライマリ接続の配置情報を端末装置に送信し、プライマリ接続の配置情報とセカンダリ接続の配置情報が端末装置に同時に送信されてもよく、また端末装置に順次送信されてもよく、本発明の実施例はこれに限定されない。
【０１１５】
一つの選択可能な実施例として、前記第一のプライマリネットワーク装置は長期進化型（ＬＴＥ）ネットワーク装置におけるネットワーク装置であり、前記セカンダリネットワーク装置は５Ｇネットワークにおけるネットワーク装置である。
【０１１６】
理解すべきものとして、本発明の実施例に記載される制御プレーンデータは例えばＲＲＣシグナリングであってもよく、ユーザプレーンデータは例えばユーザの専用ペアラデータであってもよい。
【０１１７】
選択可能に、端末装置のアクセスネットワーク装置とコアネットワーク装置の間のデータは第一のプライマリネットワーク装置を介してコアネットワーク装置に直接伝送されてもよく、又は第一のプライマリネットワーク装置とセカンダリネットワーク装置を介してそれぞれコアネットワーク装置に伝送されてもよく、又はセカンダリネットワーク装置を介してコアネットワーク装置に直接伝送されてもよく、又は、部分のデータは第一のプライマリネットワーク装置を介してコアネットワーク装置に直接伝送され、別の部分のデータは第一のプライマリネットワーク装置を介してセカンダリネットワーク装置に伝送され、さらにセカンダリネットワーク装置によって端末装置に伝送され、本発明の実施例はこれに限定されない。
【０１１８】
以下に図３−図６を参照しながら本発明の実施例によるデータ伝送方法を説明する。
【０１１９】
図３は該測定結果情報がＲＲＣ接続確立リクエストメッセージに含まれる時の、本発明の実施例によるデータ伝送方法の実行過程を示す。
【０１２０】
Ｓ３０１において、端末装置は測定結果情報を確定し、セカンダリネットワーク装置に対する測定を実行する。
【０１２１】
選択可能に、該測定結果情報が該セカンダリネットワーク装置のネットワーク状況を表し、端末装置はシステムメッセージにおける配置情報に基づいてセカンダリネットワーク装置を測定することができ、端末装置は第一のプライマリネットワーク装置の指示情報に基づいてセカンダリネットワーク装置を測定することもでき、本発明の実施例はこれに限定されない。
【０１２２】
Ｓ３０２において、端末装置は第一のプライマリネットワーク装置へＲＲＣ接続リクエストメッセージを送信し、該接続確立リクエストメッセージに測定結果情報が含まれる。
【０１２３】
選択可能に、端末装置はサービスを伝送する必要がある時に、第一のプライマリネットワーク装置へＲＲＣ接続確立リクエストメッセージを送信し、ＲＲＣ接続確立リクエストメッセージに測定結果情報が含まれることは一つの好ましい実施例だけであり、本発明の実施例において測定結果情報は他の方式により第一のプライマリネットワーク装置に報告されてもよい。
【０１２４】
Ｓ３０３において、第一のプライマリネットワーク装置は端末装置へＲＲＣ接続確立メッセージを送信する。
【０１２５】
Ｓ３０４において、端末装置は第一のプライマリネットワーク装置へＲＲＣ接続確立完了メッセージを送信する。
【０１２６】
Ｓ３０５において、第一のプライマリネットワーク装置はセカンダリネットワーク装置の測定結果情報及び第一のプライマリネットワーク装置の負荷状態のうちの少なくとも一つに基づき、セカンダリネットワーク装置へセカンダリ接続追加リクエストメッセージを送信するか否かを確定し、第一のプライマリネットワーク装置が測定結果情報と負荷状態のうちの少なくとも一つに基づき、セカンダリ接続の確立を確定した場合、セカンダリネットワーク装置へセカンダリ接続追加リクエストメッセージを送信し、該セカンダリ接続追加リクエストメッセージにセカンダリネットワーク装置の測定結果情報が含まれる。
【０１２７】
理解すべきものとして、端末装置によって測定されるセカンダリネットワーク装置は一つ又は複数であってもよく、第一のプライマリネットワーク装置は測定結果情報を受信した後、該一つ又は複数のセカンダリネットワーク装置へセカンダリ接続追加リクエストメッセージを送信することができ、当然、第一のプライマリネットワーク装置は自体の負荷状態及び測定結果情報に基づき、複数のセカンダリネットワーク装置のうちの部分のセカンダリネットワーク装置へセカンダリ接続追加リクエストメッセージを送信することができ、即ち第一のプライマリネットワーク装置の現在の負荷状態が部分のセカンダリネットワークだけで分担されてもよく、本発明の実施例はこれに限定されない。
【０１２８】
Ｓ３０６において、セカンダリネットワーク装置が第一のプライマリネットワーク装置から送信されたセカンダリ接続追加リクエストメッセージを受信した場合、該追加リクエストメッセージにおける測定結果情報及びセカンダリネットワーク装置自体のネットワーク負荷状態に基づき、セカンダリ接続の確立を許可するか否かを確定し、セカンダリ接続の確立を許可する場合、第一のプライマリネットワーク装置へセカンダリ接続追加リクエストメッセージの確認メッセージを返信し、該確認メッセージにセカンダリ接続の配置情報が含まれ、該セカンダリ接続の配置情報がセカンダリ接続の確立に用いられ、
Ｓ３０７において、セカンダリネットワーク装置がセカンダリ接続の確立を拒絶する場合、第一のプライマリネットワーク装置へ失敗指示情報を返信し、該失敗指示情報に、セカンダリネットワーク装置のＱｏＳがデータの伝送を満たしていることができないこと、セカンダリネットワーク装置のリンク品質が低すぎること、セカンダリネットワーク装置が現在輻輳状態にあることなどのセカンダリ接続の確立を許可しない理由が含まれ、本発明の実施例はこれに限定されない。
【０１２９】
Ｓ３０８において、Ｓ３０６の後に、第一のプライマリネットワーク装置がセカンダリネットワーク装置から送信された第一の測定結果情報を受信した場合、該セカンダリ接続の配置情報を端末装置に送信し、選択可能に、該セカンダリ接続の配置情報をＲＲＣ接続再構成メッセージに含ませて端末装置に送信することができる。
【０１３０】
Ｓ３０９において、端末装置は第一のプライマリネットワーク装置へＲＲＣ接続確立再構成完了メッセージを送信し、その後端末装置は該セカンダリ接続の配置情報に基づいてセカンダリネットワーク装置とセカンダリ接続を確立してデータを伝送することができ、該データが制御プレーンデータ及び／又はユーザプレーンデータであってもよい。
【０１３１】
図４は該測定結果情報がＲＲＣ接続確立完了メッセージに含まれる時の、本発明の実施例によるデータ伝送方法の実行過程を示す。
【０１３２】
Ｓ４０１において、端末装置は測定結果情報を確定し、セカンダリネットワーク装置に対する測定を実行する。
【０１３３】
選択可能に、該測定結果情報が該セカンダリネットワーク装置のネットワーク状況を表し、端末装置はシステムメッセージにおける配置情報に基づいてセカンダリネットワーク装置を測定することができ、端末装置は第一のプライマリネットワーク装置の指示情報に基づいてセカンダリネットワーク装置を測定することもでき、本発明の実施例はこれに限定されない。
【０１３４】
Ｓ４０２において、端末装置は第一のプライマリネットワーク装置へＲＲＣ接続リクエストメッセージを送信する。
【０１３５】
Ｓ４０３において、第一のプライマリネットワーク装置は端末装置へＲＲＣ接続確立メッセージを送信する。
【０１３６】
Ｓ４０４において、端末装置は第一のプライマリネットワーク装置へＲＲＣ接続確立完了メッセージを送信し、該ＲＲＣ接続確立完了メッセージにセカンダリネットワーク装置の測定結果情報が含まれる。
【０１３７】
選択可能に、ＲＲＣ接続確立完了メッセージに測定結果情報が含まれることは一つの好ましい実施例だけであり、本発明の実施例において測定結果情報は他の方式により第一のプライマリネットワーク装置に報告されてもよい。
【０１３８】
理解Ｓ４０１とＳ４０２、Ｓ４０３の実行順序は限定されず、Ｓ４０１はＳ４０４の前でさえすればよい。
【０１３９】
Ｓ４０５において、第一のプライマリネットワーク装置はセカンダリネットワーク装置の測定結果情報及び第一のプライマリネットワーク装置の負荷状態のうちの少なくとも一つに基づき、セカンダリネットワーク装置へセカンダリ接続追加リクエストメッセージを送信するか否かを確定し、第一のプライマリネットワーク装置が測定結果情報と負荷状態のうちの少なくとも一つに基づき、セカンダリ接続の確立を確定した場合、セカンダリネットワーク装置へセカンダリ接続追加リクエストメッセージを送信し、該セカンダリ接続追加リクエストメッセージにセカンダリネットワーク装置の測定結果情報が含まれ、
Ｓ４０６において、セカンダリネットワーク装置が第一のプライマリネットワーク装置から送信されたセカンダリ接続追加リクエストメッセージを受信した場合、該追加リクエストメッセージにおける測定結果情報及びセカンダリネットワーク装置自体のネットワーク負荷状態に基づき、セカンダリ接続の確立を許可するか否かを確定し、セカンダリ接続の確立を許可する場合、第一のプライマリネットワーク装置へセカンダリ接続追加リクエストメッセージの確認メッセージを返信し、該確認メッセージにセカンダリ接続の配置情報が含まれ、該セカンダリ接続の配置情報がセカンダリ接続の確立に用いられ、
Ｓ４０７において、セカンダリネットワーク装置がセカンダリ接続の確立を拒絶する場合、第一のプライマリネットワーク装置へ失敗指示情報を返信し、該失敗指示情報に、セカンダリネットワーク装置のＱｏＳがデータの伝送を満たしていることができないこと、セカンダリネットワーク装置のリンク品質が低すぎること、セカンダリネットワーク装置が現在輻輳状態にあることなどのセカンダリ接続の確立を許可しない理由が含まれ、
Ｓ４０８において、Ｓ４０６の後に、第一のプライマリネットワーク装置がセカンダリネットワーク装置から送信された第一の測定結果情報を受信した場合、該セカンダリ接続の配置情報を端末装置に送信し、選択可能に、該セカンダリ接続の配置情報をＲＲＣ接続再構成メッセージに含ませて端末装置に送信することができ、
Ｓ４０９において、端末装置は第一のプライマリネットワーク装置へＲＲＣ接続確立再構成完了メッセージを送信し、その後端末装置は該セカンダリ接続の配置情報に基づいてセカンダリネットワーク装置とセカンダリ接続を確立してデータを伝送することができ、該データが制御プレーンデータ及び／又はユーザプレーンデータであってもよい。
【０１４０】
図５と図６において本発明の実施例のハンドオーバーシーンにおけるデータ伝送方法が説明される。
【０１４１】
図５は該測定結果情報がハンドオーバーリクエストメッセージに含まれる時の、本発明の実施例によるデータ伝送方法の実行過程を示す。
【０１４２】
Ｓ５０１において、端末装置は測定結果情報を確定し、セカンダリネットワーク装置に対する測定を実行する。
【０１４３】
選択可能に、該測定結果情報が該セカンダリネットワーク装置のネットワーク状況を反映し、端末装置はシステムメッセージにおける配置情報に基づいてセカンダリネットワーク装置を測定することができ、端末装置は第一のプライマリネットワーク装置の指示情報に基づいてセカンダリネットワーク装置を測定することもでき、本発明の実施例はこれに限定されない。
【０１４４】
理解すべきものとして、ハンドオーバー過程において端末装置の測定するセカンダリネットワーク装置は第一のプライマリネットワーク装置１１０のセカンダリネットワーク装置である可能性があり、第二のプライマリネットワーク装置１４０のセカンダリネットワーク装置である可能性もあり、他のプライマリネットワーク装置におけるセカンダリネットワーク装置である可能性もあり、本発明の実施例はこれに限定されない。
【０１４５】
Ｓ５０２において、端末装置は第二のプライマリネットワーク装置１４０へ測定レポートを送信する時に、セカンダリネットワーク装置の測定結果情報を測定レポートに含ませて第二のプライマリネットワーク装置１４０に送信し、該測定レポートが、端末装置と第二のプライマリネットワーク装置がデータを伝送する過程で生成された測定レポートである。
【０１４６】
Ｓ５０３において、第二のプライマリネットワーク装置１４０は端末装置から送信された測定レポートを受信する時に、測定レポートに示される現在の通信品質情報に基づき、ハンドオーバーする必要があるか否かを確定し、ハンドオーバーする必要がある場合、測定レポートにおける測定結果情報をハンドオーバーリクエストメッセージに含ませて第一のプライマリネットワーク装置に送信し、
理解すべきものとして、第二のプライマリネットワーク装置は現在のネットワークトポロジ構造に基づき、どのセカンダリネットワーク装置が第一のプライマリネットワーク装置であるかを確定し、第一のプライマリネットワーク装置に対応する測定結果情報を第一のプライマリネットワーク装置に送信することができる。
【０１４７】
Ｓ５０４において、第一のプライマリネットワーク装置は、ハンドオーバーリクエストメッセージを受信する時に、ハンドオーバーリクエストメッセージに含まれる測定結果情報及びそれ自体のネットワーク状態に基づき、セカンダリ接続を確立する必要があるか否かを確定し、セカンダリ接続を確立する必要がある場合、セカンダリネットワーク装置へセカンダリ接続追加リクエストメッセージを送信し、該セカンダリ接続追加リクエストメッセージにセカンダリネットワーク装置の測定結果情報が含まれ、
Ｓ５０５において、セカンダリネットワーク装置が第一のプライマリネットワーク装置から送信されたセカンダリ接続追加リクエストメッセージを受信した場合、該セカンダリ接続追加リクエストメッセージにおける測定結果情報及びセカンダリネットワーク装置自体のネットワーク負荷状態に基づき、セカンダリ接続の確立を許可するか否かを確定し、セカンダリ接続の確立を許可する場合、第一のプライマリネットワーク装置へセカンダリ接続追加リクエストメッセージの確認メッセージを返信し、該確認メッセージにセカンダリ接続の配置情報が含まれ、該セカンダリ接続の配置情報がセカンダリ接続の確立に用いられる。
【０１４８】
Ｓ５０６において、セカンダリネットワーク装置がセカンダリ接続の確立を拒絶する場合、第一のプライマリネットワーク装置へ失敗指示情報を返信し、該失敗指示情報に、セカンダリネットワーク装置のＱｏＳがデータの伝送を満たしていることができないこと、セカンダリネットワーク装置のリンク品質が低すぎること、セカンダリネットワーク装置が現在輻輳状態にあることなどのセカンダリ接続の確立を許可しない理由が含まれる。
【０１４９】
Ｓ５０７において、Ｓ５０５の後に、第一のプライマリネットワーク装置は第二のライマリネットワーク装置へハンドオーバーリクエストメッセージの確認メッセージを送信し、該確認メッセージにセカンダリ接続の配置情報が含まれる。
【０１５０】
Ｓ５０８において、第二のライマリネットワーク装置は該ハンドオーバーリクエストメッセージの確認メッセージを受信した後に、端末装置へ該セカンダリ接続の配置情報を送信し、選択可能に、セカンダリ接続の配置情報をＲＲＣ接続再構成メッセージに含ませて端末装置に送信してもよい。
【０１５１】
Ｓ５０９において、端末装置は、第一のライマリネットワーク装置へＲＲＣ接続再構成完了メッセージを送信し、その後、端末装置は該セカンダリ接続の配置情報に基づいてセカンダリネットワーク装置とセカンダリ接続を確立してデータを伝送することができ、該データが制御プレーンデータ及び／又はユーザプレーンデータであってもよい。
【０１５２】
図６は該測定結果情報がハンドオーバー完了メッセージに含まれる時の、本発明の実施例によるデータ伝送方法の実行過程を示す。
【０１５３】
Ｓ６０１において、端末装置は測定結果情報を確定し、セカンダリネットワーク装置に対する測定を実行する。
【０１５４】
選択可能に、該測定結果情報が該セカンダリネットワーク装置のネットワーク状況を反映し、端末装置はシステムメッセージにおける配置情報に基づいてセカンダリネットワーク装置を測定することができ、端末装置は第一のプライマリネットワーク装置の指示情報に基づいてセカンダリネットワーク装置を測定することもでき、本発明の実施例はこれに限定されない。
【０１５５】
理解すべきものとして、ハンドオーバー過程において端末装置によって測定されたセカンダリネットワーク装置は第一のプライマリネットワーク装置１１０のセカンダリネットワーク装置である可能性があり、第二のプライマリネットワーク装置１４０のセカンダリネットワーク装置である可能性もあり、他のプライマリネットワーク装置におけるセカンダリネットワーク装置である可能性もあり、本発明の実施例はこれに限定されない。
【０１５６】
Ｓ６０２において、端末装置は第二のプライマリネットワーク装置１４０へ測定レポートを送信し、該測定レポートが、端末装置と第二のプライマリネットワーク装置がデータを伝送する過程で生成された測定レポートである。
【０１５７】
Ｓ６０３において、第二のプライマリネットワーク装置１４０は端末装置から送信された測定レポートを受信する時に、測定レポートに示される現在の通信品質情報に基づき、ハンドオーバーするか否かを確定し、ハンドオーバーする必要がある場合、第二のプライマリネットワーク装置は第一のプライマリネットワーク装置へハンドオーバーリクエストメッセージを送信する。
【０１５８】
理解すべきものとして、第二のプライマリネットワーク装置は現在のネットワークトポロジ構造に基づき、どのセカンダリネットワーク装置が第一のプライマリネットワーク装置であるかを確定し、第一のプライマリネットワーク装置に対応する測定結果情報を第一のプライマリネットワーク装置に送信することができる。
【０１５９】
Ｓ６０４において、第一のプライマリネットワーク装置がハンドオーバーできることを確定した場合、第二のプライマリネットワーク装置へハンドオーバーリクエストメッセージの確認メッセージを送信し、
Ｓ６０５において、第二のプライマリネットワーク装置は端末装置へハンドオーバー指示情報を送信し、ハンドオーバー指示情報が第一のプライマリネットワーク装置にアクセスするように端末装置に指示することに用いられ、即ち第二のプライマリネットワーク装置はソースネットワーク装置として理解してもよく、第一のプライマリネットワーク装置はターゲットネットワーク装置として理解してもよい。
【０１６０】
Ｓ６０６において、端末装置は第一のプライマリネットワーク装置へハンドオーバー完了メッセージを送信し、該ハンドオーバー完了メッセージにセカンダリネットワーク装置の測定結果情報が含まれ、
理解すべきものとして、Ｓ６０１とＳ６０２、Ｓ６０３、Ｓ６０４とＳ６０５の順序が限定されず、Ｓ６０１がＳ６０６の前でさえすればよい。
【０１６１】
Ｓ６０７において、第一のプライマリネットワーク装置が該ハンドオーバー完了メッセージを受信した場合、該ハンドオーバー完了メッセージに含まれる測定結果情報及び第一のプライマリネットワーク装置の現在の負荷状態に基づき、セカンダリ接続を確立するか否かを確定し、セカンダリ接続を確立する必要があることを確定した場合、現在のネットワークトポロジ構造に基づき、該第一のプライマリネットワーク装置のセカンダリネットワーク装置へそれぞれに対応する測定結果情報を送信し、測定結果情報をセカンダリ接続追加リクエストメッセージに含ませてセカンダリネットワーク装置へ送信する。
【０１６２】
Ｓ６０８において、セカンダリネットワーク装置が第一のプライマリネットワーク装置から送信されたセカンダリ接続追加リクエストメッセージを受信した場合、該追加リクエストメッセージにおける測定結果情報及びセカンダリネットワーク装置自体のネットワーク負荷状態に基づき、セカンダリ接続の確立を許可するか否かを確定し、セカンダリ接続の確立を許可する場合、第一のプライマリネットワーク装置へセカンダリ接続追加リクエストメッセージの確認メッセージを返信し、該確認メッセージにセカンダリ接続の配置情報が含まれ、該セカンダリ接続の配置情報がセカンダリ接続の確立に用いられる。
【０１６３】
Ｓ６０９において、セカンダリネットワーク装置がセカンダリ接続の確立を拒絶する場合、第一のプライマリネットワーク装置へ失敗指示情報を返信し、該失敗指示情報に、セカンダリネットワーク装置のＱｏＳがデータの伝送を満たしていることができないこと、セカンダリネットワーク装置のリンク品質が低すぎること、セカンダリネットワーク装置が現在輻輳状態にあることなどのセカンダリ接続の確立を許可しない理由が含まれる。
【０１６４】
Ｓ６１０において、Ｓ６０８の後に、第一のプライマリネットワーク装置は端末装置へＲＲＣ接続再構成メッセージを送信し、該ＲＲＣ接続再構成メッセージにセカンダリ接続の配置情報が含まれる。
【０１６５】
Ｓ６１１において、端末装置は、第一のライマリネットワーク装置へＲＲＣ接続再構成完了メッセージを送信し、その後端末装置は該セカンダリ接続の配置情報に基づいてセカンダリネットワーク装置とセカンダリ接続を確立してデータを伝送することができ、該データが制御プレーンデータ及び／又はユーザプレーンデータであってもよい。
【０１６６】
図７は本発明の実施例によるデータ伝送装置７００の概略図であり、該装置は例えば第一のプライマリネットワーク装置であってもよく、該装置７００は受信モジュール７１０、確定モジュール７２０、確立モジュール７３０を備える。
【０１６７】
受信モジュール７１０は、端末装置が前記第一のプライマリネットワーク装置へのアクセス過程で送信したセカンダリネットワーク装置の測定結果情報を受信するように構成され、前記測定結果情報が前記セカンダリネットワーク装置と前記端末装置の間のリンク品質を示すことに用いられる。
【０１６８】
確定モジュール７２０は、前記セカンダリネットワーク装置と前記端末装置の間のリンク品質に基づき、前記セカンダリネットワーク装置と端末装置のセカンダリ接続の確立を確定するように構成される。
【０１６９】
確立モジュール７３０は、前記セカンダリ接続を確立するように構成される。
【０１７０】
一つの選択可能な実施例として、前記受信モジュール７１０は具体的に無線リソース制御（ＲＲＣ）接続確立リクエストメッセージ、又は前記ＲＲＣ接続確立完了メッセージに含まれる前記測定結果情報を受信するように構成される。
【０１７１】
一つの選択可能な実施例として、前記受信モジュール７１０は具体的に前記端末装置から送信された、ハンドオーバー完了メッセージに含まれる前記測定結果情報を受信するように構成され、前記ハンドオーバー完了メッセージが、さらに前記端末装置にサービスを提供するネットワーク装置が既に第二のプライマリネットワーク装置から前記装置７００にハンドオーバーされたことを示すことに用いられる。
【０１７２】
一つの選択可能な実施例として、前記受信モジュール７１０は具体的に前記第一のプライマリネットワーク装置が第二のプライマリネットワーク装置から送信された、ハンドオーバーリクエストメッセージに含まれる前記測定結果情報を受信するように構成され、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられる。
【０１７３】
一つの選択可能な実施例として、前記確立モジュール７３０は具体的に前記第二のプライマリネットワーク装置から送信されたハンドオーバーリクエストメッセージを受信した後、前記第二のプライマリネットワーク装置へハンドオーバーリクエストメッセージの確認メッセージを送信するように構成され、前記ハンドオーバーリクエストメッセージの確認メッセージに前記セカンダリ接続の配置情報が含まれ、前記第二のプライマリネットワーク装置が前記セカンダリ接続の配置情報を前記端末装置に送信するようにするように構成され、前記セカンダリ接続の配置情報が前記セカンダリネットワーク装置と前記端末装置との前記セカンダリ接続の確立に用いられる。
【０１７４】
選択可能に、該確立モジュール７３０は前記第二のプライマリネットワーク装置へハンドオーバーリクエストメッセージの確認メッセージを送信するように構成される送信ユニットを含むことができる。
【０１７５】
一つの選択可能な実施例として、前記装置７００はさらに、端末装置が前記プライマリネットワーク装置へのアクセス過程で送信したセカンダリネットワーク装置の測定結果情報を受信する前に、前記端末装置へ第一の指示情報を送信するように構成され、前記第一の指示情報が前記第一のプライマリネットワーク装置へ前記測定結果情報を送信するように前記端末装置に指示することに用いられる第一の送信モジュールを備え、前記受信モジュール７１０は具体的に前記端末装置が前記第一の指示情報に基づいて送信した前記測定結果情報を受信するように構成される。
【０１７６】
一つの選択可能な実施例として、前記確立モジュール７３０は具体的に前記セカンダリネットワーク装置へセカンダリ接続追加リクエストメッセージを送信し、前記セカンダリ接続追加リクエストメッセージが前記セカンダリネットワーク装置をデータを伝送するためのネットワーク装置として追加するようにリクエストすることに用いられ、前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続を確立することに用いられ、前記セカンダリ接続の配置情報を取得し、前記端末装置へ前記セカンダリ接続の配置情報を送信するように構成される。
【０１７７】
選択可能に、確立モジュール７３０は送信ユニット、受信ユニット、取得ユニット、送信ユニットを含むことができ、ここで、送信ユニットが前記セカンダリネットワーク装置へセカンダリ接続追加リクエストメッセージを送信するように構成され、受信ユニットが前記セカンダリネットワーク装置から送信された前記セカンダリ接続追加リクエストメッセージの確認メッセージを受信するように構成され、取得ユニットが前記セカンダリ接続の配置情報を取得するように構成され、送信ユニットが前記端末装置へ前記セカンダリ接続の配置情報を送信するように構成される。
【０１７８】
一つの選択可能な実施例として、前記確定モジュール７２０は具体的に前記第一のプライマリネットワーク装置の負荷状況と前記測定結果情報に基づき、前記セカンダリネットワーク装置と前記端末装置とのセカンダリ接続の確立を確定するように構成される。
【０１７９】
一つの選択可能な実施例として、前記装置７００はさらに前記端末装置へプライマリ接続の配置情報を送信するように構成され、前記プライマリ接続の配置情報が、前記端末装置が前記装置７００とのプライマリ接続を確立することに用いられ、前記プライマリ接続がデータを伝送することに用いられる第二の送信モジュールを備える。
【０１８０】
一つの選択可能な実施例として、前記装置７００は長期進化型（ＬＴＥ）ネットワークにおけるネットワーク装置であり、前記セカンダリネットワーク装置は５Ｇネットワーク装置におけるネットワーク装置である。
【０１８１】
一つの選択可能な実施例として、前記セカンダリ接続は第一の制御プレーンデータ及び／又はユーザプレーンデータを伝送することに用いられる。
【０１８２】
理解すべきものとして、ここでの装置７００は機能モジュールの形態で具現化される。ここでの用語「モジュール」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置７００が具体的に上記実施例における第一のプライマリネットワーク装置であってもよく、装置７００が上記方法の実施例における、第一のプライマリネットワーク装置に対応する各過程及び／又はステップを実行することに用いられてもよく、繰り返しを回避するために、ここで説明を省略する。
【０１８３】
図８は本発明の実施例によるデータ伝送装置８００の別の概略ブロック図であり、例えば該装置は端末装置であってもよく、該装置８００は送信モジュール８１０、受信モジュール８２０、アクセスモジュール８３０を備える。
【０１８４】
送信モジュール８１０は、前記装置８００が第一のプライマリネットワーク装置へのアクセス過程で第一のプライマリネットワーク装置へセカンダリネットワーク装置の測定結果情報を送信し、第一のプライマリネットワーク装置が前記測定結果情報に基づいて前記セカンダリ接続の配置情報を取得するようにするように構成され、前記測定結果情報が前記セカンダリネットワーク装置と前記装置８００の間のリンク品質を示すことに用いられる。
【０１８５】
受信モジュール８２０は、前記第一のプライマリネットワーク装置から送信された前記セカンダリ接続の配置情報を受信するように構成され、前記セカンダリ接続の配置情報が前記セカンダリネットワーク装置と前記装置８００とのセカンダリ接続の確立に用いられる。
【０１８６】
アクセスモジュール８３０は、前記セカンダリ接続の配置情報に基づいて前記セカンダリネットワーク装置にアクセスするように構成される。
【０１８７】
一つの選択可能な実施例として、前記送信モジュール８１０は具体的に無線リソース制御（ＲＲＣ）接続確立リクエストメッセージ、又はＲＲＣ接続確立完了メッセージによって前記第一のプライマリネットワーク装置へ前記測定結果情報を送信するように構成される。
【０１８８】
一つの選択可能な実施例として、前記送信モジュール８１０は具体的に第二のプライマリネットワーク装置を介して前記第一のプライマリネットワーク装置へ測定結果情報を送信し、前記測定結果情報が前記装置８００から前記第二のプライマリネットワーク装置へ送信される測定レポートに含まれ、前記第二のプライマリネットワーク装置が前記測定レポートに基づいて前記第一のプライマリネットワーク装置へハンドオーバーリクエストメッセージを送信するようにし、前記ハンドオーバーリクエストメッセージに前記測定結果情報が含まれ、前記ハンドオーバーリクエストメッセージがさらに前記第二のプライマリネットワーク装置から前記第一のプライマリネットワーク装置にハンドオーバーする必要があることを前記装置８００にサービスを提供するネットワーク装置にリクエストすることに用いられる。
【０１８９】
一つの選択可能な実施例として、前記送信モジュール８１０は具体的にハンドオーバー完了メッセージによって前記第一のプライマリネットワーク装置へ前記測定結果情報を送信するように構成され、前記ハンドオーバー完了メッセージがさらに前記装置８００にサービスを提供するネットワーク装置が既に第二のプライマリネットワーク装置から前記第一のプライマリネットワーク装置にハンドオーバーされたことを示すことに用いられる。
【０１９０】
一つの選択可能な実施例として、前記受信モジュール８２０はさらに前記装置８００が第一のプライマリネットワーク装置にアクセスする過程において第一のプライマリネットワーク装置へセカンダリネットワーク装置の測定結果情報を送信する前に、前記第一のプライマリネットワーク装置から送信された第一の指示情報を受信するように構成され、前記第一の指示情報が前記第一のプライマリネットワーク装置へ前記測定結果情報を送信するように前記装置８００に指示することに用いられ、前記送信モジュール８１０は具体的に前記第一の指示情報に基づき、前記第一のプライマリネットワーク装置へのアクセス過程で前記第一のプライマリネットワーク装置へ前記測定結果情報を送信するように構成される。
【０１９１】
一つの選択可能な実施例として、前記送信モジュール８１０は具体的に前記装置８００が第一のプライマリネットワーク装置へのアクセス過程において第一のプライマリネットワーク装置へセカンダリネットワーク装置の測定結果情報を送信する前に、前記装置８００と前記セカンダリネットワーク装置の間のチャネル品質がプリセット条件を満たしている場合、前記装置８００が第一のプライマリネットワーク装置へのアクセス過程で前記第一のプライマリネットワーク装置へ前記測定結果情報を送信するように構成される。
【０１９２】
一つの選択可能な実施例として、前記受信モジュール８１０はさらに
前記第一のプライマリネットワーク装置から送信されたプライマリ接続の配置情報を受信するように構成され、前記プライマリ接続の配置情報が、前記装置８００が前記第一のプライマリネットワーク装置とのプライマリ接続を確立することに用いられ、前記プライマリ接続がデータを伝送することに用いられる。
【０１９３】
理解すべきものとして、ここでの装置８００は機能モジュールの形態で具現化される。ここでの用語「モジュール」はＡＳＩＣ、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置８００が具体的に上記実施例における端末装置であってもよいことを理解でき、装置８００が上記方法の実施例における、端末装置に対応する各過程及び／又はステップを実行することに用いられてもよく、繰り返しを回避するために、ここで説明を省略する。
【０１９４】
図９は本発明の実施例によるデータ伝送装置９００の概略ブロック図であり、例えば該装置は第二のプライマリネットワーク装置であってもよく、該装置９００は、受信モジュール９１０、送信モジュール９２０を備える。
【０１９５】
受信モジュール９１０は、端末装置から送信された測定結果情報を受信するように構成され、前記測定結果情報が前記セカンダリネットワーク装置と前記端末装置の間のリンク品質を示すことに用いられる。
【０１９６】
送信モジュール９２０は、前記第一のプライマリネットワーク装置へ測定結果情報を送信し、前記第一のプライマリネットワーク装置が前記測定結果情報に基づき、前記セカンダリネットワーク装置と前記端末装置とのセカンダリ接続の確立を確定するようにするように構成され、前記第一のプライマリネットワーク装置が前記端末装置によってハンドオーバーされるターゲットネットワーク装置であり、前記装置が前記端末装置によってハンドオーバーされるソースネットワーク装置である。
【０１９７】
一つの選択可能な実施例として、前記受信モジュール９１０は具体的に測定レポートに含まれる前記測定結果情報を受信するように構成され、前記送信モジュール９２０は具体的に前記ハンドオーバーリクエストメッセージによって前記第一のプライマリネットワーク装置へ前記測定結果情報を送信するように構成され、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられる。
【０１９８】
一つの選択可能な実施例として、前記受信モジュール９１０はさらに
前記装置がハンドオーバーリクエストメッセージによって前記第一のプライマリネットワーク装置へ前記測定結果情報を送信した後、前記第一のプライマリネットワーク装置から送信された前記ハンドオーバーリクエストメッセージの確認メッセージに含まれる前記セカンダリ接続の配置情報を受信するように構成され、前記セカンダリ接続の配置情報が前記セカンダリネットワーク装置と前記端末装置との前記セカンダリ接続の確立に用いられ、前記送信モジュール９２０はさらに前記端末装置へ前記セカンダリ接続の配置情報を送信するように構成される。
【０１９９】
理解すべきものとして、ここでの装置９００は機能モジュールの形態で具現化される。ここでの用語「モジュール」はＡＳＩＣ、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置９００が具体的に上記実施例における第二のプライマリネットワーク装置であってもよいことを理解でき、装置９００が上記方法の実施例における、第二のプライマリネットワーク装置に対応する各過程及び／又はステップを実行することに用いられてもよく、繰り返しを回避するために、ここで説明を省略する。
【０２００】
図１０は本発明の実施例によるデータ伝送装置１０００の概略であり、例えば該装置はセカンダリネットワーク装置であってもよく、該装置１０００は受信モジュール１０１０、送信モジュール１０２０を備える。
【０２０１】
受信モジュール１０１０は、第一のプライマリネットワーク装置から送信されたセカンダリ接続追加リクエストメッセージを受信するように構成され、前記セカンダリ接続追加リクエストメッセージが前記セカンダリネットワーク装置と端末装置とのセカンダリ接続の確立をリクエストすることに用いられ、前記セカンダリ接続がデータを伝送することに用いられ、前記データが第一の制御プレーンデータとユーザプレーンデータを含む。
【０２０２】
送信モジュール１０２０は、前記セカンダリ接続追加リクエストメッセージに基づいて前記第一のプライマリネットワーク装置へセカンダリ接続の配置情報を送信するように構成され、前記セカンダリ接続の配置情報が前記セカンダリ接続の確立に用いられる。
【０２０３】
一つの選択可能な実施例として、送信モジュール１０２０は具体的に前記セカンダリネットワーク装置が前記第一のプライマリネットワーク装置へ前記セカンダリ接続追加リクエストメッセージの確認メッセージを送信するように構成され、前記セカンダリ接続追加リクエストメッセージの確認メッセージに前記セカンダリ接続の配置情報が含まれる。
【０２０４】
一つの選択可能な実施例として、前記セカンダリ接続追加リクエストメッセージの確認メッセージにも少なくとも一つのセカンダリセルの識別子情報が含まれ、前記少なくとも一つのセカンダリセルが前記セカンダリネットワーク装置によってサービスを提供するセルである。
【０２０５】
一つの選択可能な実施例として、前記セカンダリ接続追加リクエストメッセージに補助情報が含まれ、前記補助情報が測定結果情報、前記端末装置のアクセス能力情報とデータのサービス品質（ＱｏＳ）情報のうちの少なくとも一つを含み、前記測定結果情報が前記セカンダリネットワーク装置と前記端末装置の間のリンク品質情報を示すことに用いられる。
【０２０６】
一つの選択可能な実施例として、前記セカンダリネットワーク装置が前記セカンダリ接続追加リクエストメッセージに基づいて前記第一のプライマリネットワーク装置へセカンダリ接続の配置情報を送信することは、前記セカンダリネットワーク装置が前記補助情報と前記セカンダリネットワーク装置の負荷状況に基づき、前記第一のプライマリネットワーク装置へ前記セカンダリ接続の配置情報を送信することを含む。
【０２０７】
理解すべきものとして、ここでの装置１０００は機能モジュールの形態で具現化される。ここでの用語「モジュール」はＡＳＩＣ、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置１０００が具体的に上記実施例におけるセカンダリネットワーク装置であってもよいことを理解でき、装置１０００が上記方法の実施例における、セカンダリネットワーク装置に対応する各過程及び／又はステップを実行することに用いられてもよく、繰り返しを回避するために、ここで説明を省略する。
【０２０８】
図１１は本発明の実施例によるデータを伝送するためのシステム１１００の概略構造図である。該通信システム１１００は装置７００と装置８００を備える。
【０２０９】
図１２は本発明の実施例によるデータを伝送するためのシステム１２００の概略構造図である。該通信システムは装置７００、装置８００と装置９００を備える。
【０２１０】
図１３は本発明の実施例によるデータを伝送するためのシステム１３００の概略構造図である。該通信システムは装置７００、装置８００と装置１０００を備える。
【０２１１】
図１４は本発明の実施例によるデータ伝送装置１４００の概略図である。該装置１４００は受信機１４１０、プロセッサ１４２０、送信機１４３０、メモリ１４４０とバスシステム１４５０を備える。ここで、受信機１４１０、プロセッサ１４２０、送信機１４３０とメモリ１４４０がバスシステム１４５０を介して接続され、該メモリ１４４０が命令を記憶することに用いられ、該プロセッサ１４２０が該メモリ１４４０に記憶された命令を実行し、信号を受信するように該受信機１４１０を制御し、命令を送信するように該送信機１４３０を制御することに用いられる。
【０２１２】
ここで、受信機１４１０は端末装置が前記第一のプライマリネットワーク装置へのアクセス過程で送信したセカンダリネットワーク装置の測定結果情報を受信するように構成され、前記測定結果情報が前記セカンダリネットワーク装置と前記端末装置の間のリンク品質を示すことに用いられ、プロセッサ１４２０は前記セカンダリネットワーク装置と前記端末装置の間のリンク品質に基づき、前記セカンダリネットワーク装置と端末装置のセカンダリ接続の確立を確定するように構成され、前記プロセッサ１４２０は前記セカンダリ接続を確立するように構成される。
【０２１３】
理解すべきものとして、装置１４００は具体的に上記実施例における第一のプライマリネットワーク装置であってもよく、そして上記方法の実施例における第一のプライマリネットワーク装置に対応する各過程及び／又は過程を実行することに用いられてもよい。選択可能に、該メモリ１４４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ１４２０はメモリに記憶された命令を実行することに用いられてもよく、そして該プロセッサが該命令を実行する場合、該プロセッサは上記方法の実施例における第一のプライマリネットワーク装置に対応する各ステップを実行することができる。
【０２１４】
図１５は本発明の実施例によるデータ伝送装置１５００の概略図である。該装置１５００は受信機１５１０、プロセッサ１５２０、送信機１５３０、メモリ１５４０とバスシステム１５５０を備える。ここで、受信機１５１０、プロセッサ１５２０、送信機１５３０とメモリ１５４０がバスシステム１５５０を介して接続され、該メモリ１５４０が命令を記憶することに用いられ、該プロセッサ１５２０が該メモリ１５４０に記憶された命令を実行し、信号を受信するように該受信機１５１０を制御し、命令を送信するように該送信機１５３０を制御することに用いられる。
【０２１５】
ここで、送信機１５３０は、前記装置が第一のプライマリネットワーク装置へのアクセス過程で第一のプライマリネットワーク装置へセカンダリネットワーク装置の測定結果情報を送信し、前記第一のプライマリネットワーク装置が前記測定結果情報に基づいて前記セカンダリ接続の配置情報を取得するようにするように構成され、前記測定結果情報が前記セカンダリネットワーク装置と前記装置の間のリンク品質を示すことに用いられ、受信機１５１０は前記第一のプライマリネットワーク装置から送信された前記セカンダリ接続の配置情報を受信するように構成され、前記プロセッサ１５２０は前記セカンダリ接続の配置情報に基づいて前記セカンダリネットワーク装置にアクセスするように構成される。
【０２１６】
理解すべきものとして、装置１５００は具体的に上記実施例における端末装置であってもよく、そして上記方法の実施例における端末装置に対応する各ステップ及び／又は過程を実行することに用いられてもよい。選択可能に、該メモリ１５４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ１５２０はメモリに記憶された命令を実行することに用いられてもよく、そして該プロセッサが該命令を実行する場合、該プロセッサは上記方法の実施例における端末装置に対応する各ステップを実行することができる。
【０２１７】
図１６は本発明の実施例によるデータ伝送装置１６００の概略図である。該装置１６００は受信機１６１０、プロセッサ１６２０、送信機１６３０、メモリ１６４０とバスシステム１６５０を備える。ここで、受信機１６１０、プロセッサ１６２０、送信機１６３０とメモリ１６４０がバスシステム１６５０を介して接続され、該メモリ１６４０が命令を記憶することに用いられ、該プロセッサ１６２０が該メモリ１６４０に記憶された命令を実行し、信号を受信するように該受信機１６１０を制御し、命令を送信するように該送信機１６３０を制御することに用いられる。
【０２１８】
ここで、受信機１６１０は端末装置から送信された測定結果情報を受信するように構成され、前記測定結果情報がセカンダリネットワーク装置と前記端末装置の間のリンク品質を示すことに用いられ、送信機１６３０は前記装置１６００が第一のプライマリネットワーク装置へのアクセス過程において、前記第一のプライマリネットワーク装置へ前記測定結果情報を送信し、前記第一のプライマリネットワーク装置が前記測定結果情報に基づき、前記セカンダリネットワーク装置と前記端末装置とのセカンダリ接続の確立を確定するようにするように構成される。
【０２１９】
理解すべきものとして、装置１６００は具体的に上記実施例における第二のプライマリネットワーク装置であってもよく、そして上記方法の実施例における第二のプライマリネットワーク装置に対応する各ステップ及び／又は過程を実行することに用いられてもよい。選択可能に、該メモリ１６４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ１６２０はメモリに記憶された命令を実行することに用いられてもよく、そして該プロセッサが該命令を実行する場合、該プロセッサは上記方法の実施例における第二のプライマリネットワーク装置に対応する各ステップを実行することができる。
【０２２０】
図１７は本発明の実施例によるデータ伝送装置１７００の概略図である。該装置１７００は受信機１７１０、プロセッサ１７２０、送信機１７３０、メモリ１７４０とバスシステム１７５０を備える。ここで、受信機１７１０、プロセッサ１７２０、送信機１７３０とメモリ１７４０がバスシステム１７５０を介して接続され、該メモリ１７４０が命令を記憶することに用いられ、該プロセッサ１７２０が該メモリ１７４０に記憶された命令を実行し、信号を受信するように該受信機１７１０を制御し、命令を送信するように該送信機１７３０を制御することに用いられる。
【０２２１】
ここで、受信機１７１０は第一のプライマリネットワーク装置から送信されたセカンダリ接続追加リクエストメッセージを受信するように構成され、前記セカンダリ接続追加リクエストメッセージが前記セカンダリネットワーク装置と端末装置とのセカンダリ接続の確立に用いられ、送信機１７３０は前記セカンダリ接続追加リクエストメッセージに基づいて前記第一のプライマリネットワーク装置へセカンダリ接続の配置情報を送信するように構成され、前記セカンダリ接続の配置情報が前記セカンダリ接続の確立に用いられる。
【０２２２】
理解すべきものとして、装置１７００は具体的に上記実施例におけるセカンダリネットワーク装置であってもよく、そして上記方法の実施例におけるセカンダリネットワーク装置に対応する各ステップ及び／又は過程を実行することに用いられてもよい。選択可能に、該メモリ１７４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ１７２０はメモリに記憶された命令を実行することに用いられてもよく、そして該プロセッサが該命令を実行する場合、該プロセッサは上記方法の実施例におけるセカンダリネットワーク装置に対応する各ステップを実行することができる。
【０２２３】
理解すべきものとして、本発明の実施例では、プロセッサ１４２０、プロセッサ１５２０、プロセッサ１６２０とプロセッサ１７２０は中央処理ユニット（ＣＰＵ：Ｃｅｎｔｒａｌ  Ｐｒｏｃｅｓｓｉｎｇ  Ｕｎｉｔ）であってもよく、プロセッサは他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタであってもよい。汎用プロセッサはマイクロプロセッサであってもよく、又は該プロセッサはいずれかの従来のプロセッサなどであってもよい。
【０２２４】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２２５】
本発明の様々な実施例では、上記の各過程の番号の大きさが実行順序を意味せず、各過程の実行順序はその機能と内部ロジックによって確定されるべきであり、本発明の実施例の実施過程のいかなる限定を構成すべきではないと理解すべきである。
【０２２６】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２２７】
当業者は便利且つ簡潔で説明するために、上述したシステム、装置とユニットの具体的な動作過程について上記方法の実施例における対応する過程を参照でき、ここでは説明を省略することを明確に理解することができる。
【０２２８】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２２９】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２３０】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０２３１】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２３２】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲に準拠するべきである。
【図１】
2019526180.tif 000003
【図２】
2019526180.tif 000004
【図３】
2019526180.tif 000005
【図４】
2019526180.tif 000006
【図５】
2019526180.tif 000007
【図６】
2019526180.tif 000008
【図７】
2019526180.tif 000009
【図８】
2019526180.tif 000010
【図９】
2019526180.tif 000011
【図１０】
2019526180.tif 000012
【図１１】
2019526180.tif 000013
【図１２】
2019526180.tif 000014
【図１３】
2019526180.tif 000015
【図１４】
2019526180.tif 000016
【図１５】
2019526180.tif 000017
【図１６】
2019526180.tif 000018
【図１７】
2019526180.tif 000019
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
データ伝送方法であって、
第一のプライマリネットワーク装置が、端末装置が前記第一のプライマリネットワーク装置へのアクセス過程で送信したセカンダリネットワーク装置の測定結果情報を受信し、前記測定結果情報が前記セカンダリネットワーク装置と前記端末装置の間のリンク品質を示すことに用いられることと、
前記第一のプライマリネットワーク装置が前記セカンダリネットワーク装置と前記端末装置の間のリンク品質に基づき、前記セカンダリネットワーク装置と前記端末装置のセカンダリ接続の確立を確定することと、
前記第一のプライマリネットワーク装置が前記セカンダリ接続を確立することとを含む、前記データ伝送方法。
【請求項２】
前記第一のプライマリネットワーク装置が、端末装置が前記第一のプライマリネットワーク装置へのアクセス過程で送信したセカンダリネットワーク装置の測定結果情報を受信することは、
前記第一のプライマリネットワーク装置が前記端末装置から送信された、無線リソース制御（ＲＲＣ）接続確立リクエストメッセージ、又はＲＲＣ接続確立完了メッセージに含まれる前記測定結果情報を受信すること、又は、
前記第一のプライマリネットワーク装置が前記端末装置から送信された、ハンドオーバー完了メッセージに含まれる前記測定結果情報を受信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すこと用いられること、又は、
前記第一のプライマリネットワーク装置が第二のプライマリネットワーク装置から送信された、ハンドオーバーリクエストメッセージに含まれる前記測定結果情報を受信し、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられることを含むことを特徴とする
請求項１に記載の方法。
【請求項３】
前記第一のプライマリネットワーク装置が前記セカンダリ接続を確立することは、
前記第一のプライマリネットワーク装置が第二のプライマリネットワーク装置から送信された、ハンドオーバーリクエストメッセージに含まれる前記測定結果情報を受信した後、前記第一のプライマリネットワーク装置が前記第二のプライマリネットワーク装置へハンドオーバーリクエストメッセージの確認メッセージを送信し、前記ハンドオーバーリクエストメッセージの確認メッセージが前記セカンダリ接続の配置情報を搬送し、前記第二のプライマリネットワーク装置が前記セカンダリ接続の配置情報を前記端末装置に送信するようにし、前記セカンダリ接続の配置情報が前記セカンダリネットワーク装置と前記端末装置との前記セカンダリ接続の確立に用いられることを特徴とする
請求項２に記載の方法。
【請求項４】
前記第一のプライマリネットワーク装置が、端末装置が前記プライマリネットワーク装置へのアクセス過程で送信したセカンダリネットワーク装置の測定結果情報を受信する前に、前記方法はさらに、
前記第一のプライマリネットワーク装置が前記端末装置へ第一の指示情報を送信し、前記第一の指示情報が前記第一のプライマリネットワーク装置へ前記測定結果情報を送信するように前記端末装置に指示することに用いられることを含み、
ここで、第一のプライマリネットワーク装置が、端末装置が前記プライマリネットワーク装置へのアクセス過程で送信した前記セカンダリネットワーク装置の測定結果情報を受信することは、
前記第一のプライマリネットワーク装置が、前記端末装置が前記第一の指示情報に基づいて送信した前記測定結果情報を受信することを含むことを特徴とする
請求項１−３のいずれか一項に記載の方法。
【請求項５】
前記第一のプライマリネットワーク装置が前記セカンダリ接続を確立することは、
前記第一のプライマリネットワーク装置が前記セカンダリネットワーク装置へセカンダリ接続追加リクエストメッセージを送信し、前記セカンダリ接続追加リクエストメッセージが前記セカンダリネットワーク装置を、データを伝送するためのネットワーク装置として追加するようにリクエストすることに用いられることと、
前記第一のプライマリネットワーク装置が前記セカンダリネットワーク装置から送信された前記セカンダリ接続追加リクエストメッセージの確認メッセージを受信し、前記セカンダリ接続追加リクエストメッセージの確認メッセージに前記セカンダリ接続の配置情報が含まれ、前記セカンダリ接続の配置情報が前記セカンダリネットワーク装置と前記端末装置との前記セカンダリ接続の確立に用いられることと、
前記第一のプライマリネットワーク装置が前記セカンダリ接続の配置情報を取得することと、
前記第一のプライマリネットワーク装置が前記端末装置へ前記セカンダリ接続の配置情報を送信することとを含むことを特徴とする
請求項１−４のいずれか一項に記載の方法。
【請求項６】
前記第一のプライマリネットワーク装置が前記測定結果情報に基づき、前記セカンダリネットワーク装置と端末装置とのセカンダリ接続を確定することは、
前記第一のプライマリネットワーク装置が前記第一のプライマリネットワーク装置の負荷状況と前記測定結果情報に基づき、前記セカンダリネットワーク装置と前記端末装置とのセカンダリ接続を確立することを含むことを特徴とする
請求項１−５のいずれか一項に記載の方法。
【請求項７】
前記方法はさらに、
前記第一のプライマリネットワーク装置が前記端末装置へプライマリ接続の配置情報を送信し、前記プライマリ接続の配置情報が、前記端末装置が前記第一のプライマリネットワーク装置とのプライマリ接続を確立することに用いられ、前記プライマリ接続がデータを伝送することに用いられることを含むことを特徴とする
請求項１−６のいずれか一項に記載の方法。
【請求項８】
前記第一のプライマリネットワーク装置は長期進化型（ＬＴＥ）ネットワークにおけるネットワーク装置であり、前記セカンダリネットワーク装置は５Ｇネットワーク装置におけるネットワーク装置であることを特徴とする
請求項１−７のいずれか一項に記載の方法。
【請求項９】
データ伝送方法であって、
端末装置が第一のプライマリネットワーク装置へのアクセス過程で第一のプライマリネットワーク装置へセカンダリネットワーク装置の測定結果情報を送信し、前記第一のプライマリネットワーク装置が前記測定結果情報に基づいてセカンダリ接続の配置情報を取得するようにし、前記測定結果情報が前記セカンダリネットワーク装置と前記端末装置の間のリンク品質を示すことに用いられることと、
前記端末装置が前記第一のプライマリネットワーク装置から送信された前記セカンダリ接続の配置情報を受信することと、
前記端末装置が前記セカンダリ接続の配置情報に基づいて前記セカンダリネットワーク装置にアクセスすることとを含む、前記データ伝送方法。
【請求項１０】
前記端末装置が第一のプライマリネットワーク装置へのアクセス過程で第一のプライマリネットワーク装置へセカンダリネットワーク装置の測定結果情報を送信することは、
前記端末装置が無線リソース制御（ＲＲＣ）接続確立リクエストメッセージ、又はＲＲＣ接続確立完了メッセージによって前記第一のプライマリネットワーク装置へ前記測定結果情報を送信すること、又は、
前記端末装置が第二のプライマリネットワーク装置を介して前記第一のプライマリネットワーク装置へ測定結果情報を送信し、前記測定結果情報が前記端末装置から前記第二のプライマリネットワーク装置へ送信される測定レポートに含まれ、前記第二のプライマリネットワーク装置が前記測定レポートに基づいて前記第一のプライマリネットワーク装置へハンドオーバーリクエストメッセージを送信するようにし、前記ハンドオーバーリクエストメッセージに前記測定結果情報が含まれ、前記ハンドオーバーリクエストメッセージがさらに前記第二のプライマリネットワーク装置から前記第一のプライマリネットワーク装置にハンドオーバーする必要があることを前記端末装置にサービスを提供するネットワーク装置にリクエストすることに用いられること、又は、
前記端末装置がハンドオーバー完了メッセージによって前記第一のプライマリネットワーク装置へ前記測定結果情報を送信し、前記ハンドオーバー完了メッセージがさらに前記端末装置にサービスを提供するネットワーク装置が既に第二のプライマリネットワーク装置から前記第一のプライマリネットワーク装置にハンドオーバーされたことを示すことに用いられることを含むことを特徴とする
請求項９に記載の方法。
【請求項１１】
前記端末装置が第一のプライマリネットワーク装置へのアクセス過程で第一のプライマリネットワーク装置へセカンダリネットワーク装置の測定結果情報を送信する前に、前記方法はさらに、
前記端末装置が前記第一のプライマリネットワーク装置から送信された第一の指示情報を受信し、前記第一の指示情報が前記第一のプライマリネットワーク装置へ前記測定結果情報を送信するように前記端末装置に指示することに用いられることを含み、
ここで、前記端末装置が第一のプライマリネットワーク装置へのアクセス過程で第一のプライマリネットワーク装置へセカンダリネットワーク装置の測定結果情報を送信することは、
前記端末装置が前記第一の指示情報に基づき、前記第一のプライマリネットワーク装置へのアクセス過程で前記第一のプライマリネットワーク装置へ前記測定結果情報を送信することを含むことを特徴とする
請求項９−１０のいずれか一項に記載の方法。
【請求項１２】
前記端末装置が第一のプライマリネットワーク装置へのアクセス過程で第一のプライマリネットワーク装置へセカンダリネットワーク装置の測定結果情報を送信する前に、前記方法はさらに、
前記端末装置と前記セカンダリネットワーク装置の間のチャネル品質がプリセット条件を満たしている場合、前記端末装置が第一のプライマリネットワーク装置へのアクセス過程で前記第一のプライマリネットワーク装置へ前記測定結果情報を送信することを含むことを特徴とする
請求項９−１１のいずれか一項に記載の方法。
【請求項１３】
前記方法はさらに、
前記端末装置が前記第一のプライマリネットワーク装置から送信されたプライマリ接続の配置情報を受信し、前記プライマリ接続の配置情報が、前記端末装置が前記第一のプライマリネットワーク装置とのプライマリ接続を確立することに用いられ、前記プライマリ接続がデータを伝送することに用いられることを含むことを特徴とする
請求項９−１２のいずれか一項に記載の方法。
【請求項１４】
ネットワーク装置であって、前記ネットワーク装置が第一のプライマリネットワーク装置であり、
プロセッサと、
命令を記憶するメモリと、を含み、前記命令が前記プロセッサによって実行される場合、前記プロセッサが請求項１−８のいずれか一項に記載の方法を実行する、
前記ネットワーク装置。
【請求項１５】
端末装置であって、
プロセッサと、
命令を記憶するメモリと、を含み、前記命令が前記プロセッサによって実行される場合、前記プロセッサが請求項９−１３のいずれか一項に記載の方法を実行する、
前記端末装置。
【国際調査報告】
2019526180.tif 000020
2019526180.tif 000021
2019526180.tif 000022
2019526180.tif 000023
2019526180.tif 000024
2019526180.tif 000025